(57)【要約】ワイヤレス通信のための技法が説明される。１つの方法は、アップリンクキャリア上で送信されるべきデータに関連する優先度パラメータを識別することと、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための第２のタイプのメッセージの間での選択をすることと、選択されたタイプのメッセージを送信することとを含む。【選択図】図３
2018527815.tif 000002
【特許請求の範囲】
【請求項１】
ユーザ機器（ＵＥ）におけるワイヤレス通信のための方法であって、
アップリンクキャリア上で送信されるべきデータに関連する優先度パラメータを識別することと、
前記識別された優先度パラメータに少なくとも部分的に基づいて、共有無線周波数スペクトル帯域または専用無線周波数スペクトル帯域中のアップリンクリソースを要求するための第１のタイプのメッセージ、あるいは前記専用無線周波数スペクトル帯域中のアップリンクリソースを要求するための第２のタイプのメッセージの間での選択をすることと、
前記選択されたタイプのメッセージを送信することと
を備える、方法。
【請求項２】
前記優先度パラメータを識別することが、
前記アップリンクキャリア上での送信のためのバッファステータス報告（ＢＳＲ）メッセージ中で報告されるべき第１の量のデータを識別することと、
前記第１の量のデータが、前記共有無線周波数スペクトル帯域中のアップリンクリソースを必要とするのか、前記専用無線周波数スペクトル帯域中のアップリンクリソースを必要とするのかを決定することと、
第１のタイプのＢＳＲメッセージまたは第２のタイプのＢＳＲメッセージの間での選択をすることと、
前記第１のタイプのＢＳＲメッセージまたは前記第２のタイプのＢＳＲメッセージのいずれかを送信することと
を備える、請求項１に記載の方法。
【請求項３】
前記第１のタイプのＢＳＲメッセージは、前記第１の量のデータがアップリンクリソースを必要とするかどうかを決定することに関連するデータを含む、請求項２に記載の方法。
【請求項４】
前記第１の量のデータがアップリンクリソースを必要とするかどうかを決定することに関連するデータが、前記第２のタイプのＢＳＲメッセージにない、請求項２に記載の方法。
【請求項５】
前記第１のタイプのメッセージが、第１のタイプのスケジューリング要求を備え、前記第２のタイプのメッセージが、第２のタイプのスケジューリング要求を備える、請求項１に記載の方法。
【請求項６】
基地局から、前記第１のタイプのスケジューリング要求をそれ上で送信すべき第１の物理リソースの第１の構成と、前記第２のタイプのスケジューリング要求をそれ上で送信すべき第２の物理リソースの第２の構成とを受信すること
をさらに備える、請求項５に記載の方法。
【請求項７】
前記第１の物理リソースおよび前記第２の物理リソースが、物理アップリンク制御チャネル（ＰＵＣＣＨ）の別個の時間リソースと、周波数リソースと、コードリソースとを備える、請求項６に記載の方法。
【請求項８】
前記第１の物理リソースが前記共有無線周波数スペクトル帯域中にあり、前記第２の物理リソースが前記専用無線周波数スペクトル帯域中にある、請求項６に記載の方法。
【請求項９】
基地局から、物理リソース上で前記第１のタイプのスケジューリング要求または前記第２のタイプのスケジューリング要求を送信するための時間領域多重化構成の指示を受信すること
をさらに備える、請求項５に記載の方法。
【請求項１０】
前記物理リソースが前記専用無線周波数スペクトル帯域中にある、請求項９に記載の方法。
【請求項１１】
前記第１のタイプのメッセージが、前記共有無線周波数スペクトル帯域または前記専用無線周波数スペクトル帯域中のアップリンクキャリア上で送信されるべきバッファされたデータの第１のタイプの指示を備え、前記第２のタイプのメッセージが、前記専用無線周波数スペクトル帯域中のアップリンクキャリア上で送信されるべきバッファされたデータの第２のタイプの指示を備える、請求項１に記載の方法。
【請求項１２】
前記第１のタイプの指示および前記第２のタイプの指示が、バッファステータス報告（ＢＳＲ）中で送信される、請求項１１に記載の方法。
【請求項１３】
前記ＢＳＲが前記専用無線周波数スペクトル帯域中で送信される、請求項１２に記載の方法。
【請求項１４】
前記第１のタイプの指示が第１のバッファステータス報告（ＢＳＲ）中で送信され、前記第２のタイプの指示が第２のＢＳＲ中で送信される、請求項１１に記載の方法。
【請求項１５】
前記第１のＢＳＲおよび前記第２のＢＳＲが、前記専用無線周波数スペクトル帯域中で送信される、請求項１４に記載の方法。
【請求項１６】
前記アップリンクキャリア上で送信されるべき前記データが、論理チャネルグループに関連し、前記第１のタイプの指示または前記第２のタイプの指示が、前記論理チャネルグループのために送信される、請求項１１に記載の方法。
【請求項１７】
タイマーの満了時に、前記専用無線周波数スペクトル帯域中のアップリンクキャリア上で送信されるべきバッファされたデータを、前記共有無線周波数スペクトル帯域中のアップリンクキャリア上で送信されるべきバッファされたデータとすること、または前記共有無線周波数スペクトル帯域中のアップリンクキャリア上で送信されるべきバッファされたデータを、前記専用無線周波数スペクトル帯域中のアップリンクキャリア上で送信されるべきバッファされたデータとすることのうちの少なくとも１つの再分類をすること
をさらに備える、請求項１１に記載の方法。
【請求項１８】
前記優先度パラメータは、サービス品質（ＱｏＳ）パラメータ、前記データが媒体アクセス制御（ＭＡＣ）レイヤ制御情報を備えるかどうかの第１の指示、前記データが上位レイヤ制御情報を備えるかどうかの第２の指示、前記データが伝送制御プロトコル（ＴＣＰ）肯定応答（ＡＣＫ）を備えるという第３の指示、前記データが高優先度論理チャネルのためのものであるという第４の指示、または前記データが上位レイヤ再送信のためのものであるという第５の指示のうちの少なくとも１つを備える、請求項１に記載の方法。
【請求項１９】
ユーザ機器（ＵＥ）におけるワイヤレス通信のための装置であって、
アップリンクキャリア上で送信されるべきデータに関連する優先度パラメータを識別するための手段と、
前記識別された優先度パラメータに少なくとも部分的に基づいて、共有無線周波数スペクトル帯域または専用無線周波数スペクトル帯域中のアップリンクリソースを要求するための第１のタイプのメッセージ、あるいは前記専用無線周波数スペクトル帯域中のアップリンクリソースを要求するための第２のタイプのメッセージの間での選択をするための手段と、
前記選択されたタイプのメッセージを送信するための手段と
を備える、装置。
【請求項２０】
前記第１のタイプのメッセージが、第１のタイプのスケジューリング要求を備え、前記第２のタイプのメッセージが、第２のタイプのスケジューリング要求を備える、請求項１９に記載の装置。
【請求項２１】
基地局から、前記第１のタイプのスケジューリング要求をそれ上で送信すべき第１の物理リソースの第１の構成と、前記第２のタイプのスケジューリング要求をそれ上で送信すべき第２の物理リソースの第２の構成とを受信するための手段
をさらに備える、請求項２０に記載の装置。
【請求項２２】
前記第１の物理リソースおよび前記第２の物理リソースが、物理アップリンク制御チャネル（ＰＵＣＣＨ）の別個の時間リソースと、周波数リソースと、コードリソースとを備える、請求項２１に記載の装置。
【請求項２３】
前記第１の物理リソースが前記共有無線周波数スペクトル帯域中にあり、前記第２の物理リソースが前記専用無線周波数スペクトル帯域中にある、請求項２１に記載の装置。
【請求項２４】
基地局から、物理リソース上で前記第１のタイプのスケジューリング要求または前記第２のタイプのスケジューリング要求を送信するための時間領域多重化構成の指示を受信するための手段
をさらに備える、請求項２０に記載の装置。
【請求項２５】
前記物理リソースが前記専用無線周波数スペクトル帯域中にある、請求項２４に記載の装置。
【請求項２６】
前記第１のタイプのメッセージが、前記共有無線周波数スペクトル帯域または前記専用無線周波数スペクトル帯域中のアップリンクキャリア上で送信されるべきバッファされたデータの第１のタイプの指示を備え、前記第２のタイプのメッセージが、前記専用無線周波数スペクトル帯域中のアップリンクキャリア上で送信されるべきバッファされたデータの第２のタイプの指示を備える、請求項１９に記載の装置。
【請求項２７】
前記第１のタイプの指示および前記第２のタイプの指示が、バッファステータス報告（ＢＳＲ）中で送信される、請求項２６に記載の装置。
【請求項２８】
前記第１のＢＳＲおよび前記第２のＢＳＲが、前記専用無線周波数スペクトル帯域中で送信される、請求項２７に記載の装置。
【請求項２９】
ユーザ機器（ＵＥ）におけるワイヤレス通信のための方法であって、
１つまたは複数の論理チャネルの各々のための第１の優先ビットレート（ＰＢＲ）および第２のＰＢＲを維持することと、前記第１のＰＢＲが、共有無線周波数スペクトル帯域および専用無線周波数スペクトル帯域中の送信に関連する、前記第２のＰＢＲが、前記専用無線周波数スペクトル帯域中の送信に関連する、
前記１つまたは複数の論理チャネルのうちの論理チャネルのための前記第１のＰＢＲおよび前記論理チャネルのための前記第２のＰＢＲに従って、前記論理チャネルに関連するデータの少なくとも一部分を、１つまたは複数のアップリンク許可のリソースにマッピングすることと
を備える、方法。
【請求項３０】
ユーザ機器（ＵＥ）におけるワイヤレス通信のための方法であって、
専用無線周波数スペクトル帯域中の第１のアップリンクキャリアおよび共有無線周波数スペクトル帯域中の第２のアップリンクキャリア上で通信することと、
複数の論理チャネルの公称スケジューリング優先度を決定するために、前記複数の論理チャネルの各々のための優先ビットレート（ＰＢＲ）を維持することと、
前記専用無線周波数スペクトル帯域中の前記第１のアップリンクキャリアのためのアップリンク許可を受信することと、
前記公称スケジューリング優先度とは無関係に適用される論理チャネル優先度に従って、前記複数の論理チャネルのうちの論理チャネルに関連するデータの少なくとも一部分を、前記アップリンク許可のリソースにマッピングすることと
を備える、方法。
【発明の詳細な説明】
【関連出願の相互参照】
【０００１】
[0001]  本特許出願は、２０１５年８月１０日に出願され、「Techniques for Managing Uplink Transmissions in a Shared Radio Frequency Spectrum Band and a Dedicated Radio Frequency Spectrum Band」と題する、Ｖａｊａｐｅｙａｍ等による米国仮特許出願第６２／２０３，１７９号、並びに２０１６年６月３０日に出願され、「Techniques for Managing Uplink Transmissions in a Shared Radio Frequency Spectrum Band and a Dedicated Radio Frequency Spectrum Band」と題する、Ｖａｊａｐｅｙａｍ等による米国特許出願第１５／１９９，２１４号の優先権を主張するもので、これらの各々は本出願の譲受人に譲渡されている。
【技術分野】
【０００２】
[0002]  本開示は、例えば、ワイヤレス通信システムに関し、より詳細には、共有無線周波数スペクトル帯域(shared radio frequency spectrum band)および専用無線周波数スペクトル帯域(dedicated radio frequency spectrum band)中のアップリンク送信を管理するための技法に関する。
【背景技術】
【０００３】
[0003]  ワイヤレス通信システムは、音声、ビデオ、パケットデータ、メッセージング、ブロードキャストのような様々なタイプの通信コンテンツを提供するために広く展開されている。これらシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、場合によってユーザ機器（ＵＥ）として知られる、複数の通信デバイスのための通信を各々同時にサポートするいくつかの基地局を含み得る。基地局は、（例えば、基地局からＵＥへの送信のための）ダウンリンクチャネル上でＵＥと通信し、（例えば、ＵＥから基地局への送信のための）アップリンクチャネル上でＵＥと通信し得る。
【０００５】
[0005]  いくつかの通信モードは、セルラーネットワークの共有無線周波数スペクトル帯域中の、または異なる無線周波数スペクトル帯域中の（例えば、専用無線周波数スペクトル帯域および共有無線周波数スペクトル帯域中の）基地局とＵＥとの間の通信を可能にし得る。しかしながら、１つのパブリックランドモバイルネットワーク（ＰＬＭＮ：public land mobile network）のデバイスによる使用のために割り振られ、予め決定された（または全ての）時間においてＰＬＭＮの基地局またはＵＥにとって利用可能であり得る専用無線周波数スペクトル帯域中のキャリアとは対照的に、共有無線周波数スペクトル帯域中のキャリアは、ＰＬＭＮのデバイスによる使用のために間欠的に利用可能であり得る。この間欠的利用可能性は、ＰＬＭＮのデバイス、１つまたは複数の他のＰＬＭＮのデバイス、および／または他のデバイス（例えば、Ｗｉ−Ｆｉ（登録商標）デバイス）間の、共有無線周波数スペクトル帯域のキャリアへのアクセスのための競合の結果であり得る。いくつかの無線フレームについて、ＰＬＭＮのデバイスが、共有無線周波数スペクトル帯域中のキャリアへのアクセスを求める競合に勝てるものの、他の無線フレームについて、このデバイスが、共有無線周波数スペクトル帯域中のキャリアへのアクセスを求める競合に勝てないことがある。
【０００６】
[0006]  共有無線周波数スペクトル帯域中のキャリアの間欠的利用可能性のために、ＵＥは、専用無線周波数スペクトル帯域中のキャリア上でより優先度の高いデータを送信し得る。
【発明の概要】
【０００７】
[0007]  本開示は、例えば、ワイヤレス通信システムに関し、より詳細には、共有無線周波数スペクトル帯域および専用無線周波数スペクトル帯域中のアップリンク送信を管理するための技法に関する。前に示されたように、共有無線周波数スペクトル帯域中のキャリアの間欠的利用可能性のために、ＵＥは、専用無線周波数スペクトル帯域中のキャリア上でより優先度の高いデータを送信し得る。しかしながら、ロングタームエボリューション（ＬＴＥ（登録商標））およびＬＴＥアドバンスト（ＬＴＥ−Ａ）によって現在使用されるデータスケジューリング機構は、ＵＥが、共有無線周波数スペクトル帯域または専用無線周波数スペクトル帯域のような、特定の無線周波数スペクトル帯域中のアップリンクリソースを要求することを可能にしない。本開示で説明される技法は、ＵＥが、共有無線周波数スペクトル帯域または専用無線周波数スペクトル帯域（または任意の利用可能な無線周波数スペクトル帯域）中の、あるいは単に専用無線周波数スペクトル帯域中のアップリンクリソースを要求することを可能にする。このようにして、ＵＥは、専用無線周波数スペクトル帯域中のキャリア上でより優先度の高いデータを送信するだけでなく、専用無線周波数スペクトル帯域中のアップリンクリソースを要求することもある。いくつかの例において、専用無線周波数スペクトル帯域中のアップリンクリソースを要求するＵＥの能力は、例えば、無線リンク制御（ＲＬＣ：Radio Link Control）再送信の速度を上げたり、または（伝送制御プロトコル（ＴＣＰ）ラウンドトリップ時間（ＲＴＴ：round-trip time）を減少させながら）ＴＣＰスループットを増加させたりし得る。
【０００８】
[0008]  本開示で説明される技法はまた、ＵＥが、１つまたは複数の論理チャネルの各々のための１つまたは複数の優先ビットレート（ＰＢＲ：prioritized bit rate）を維持することと、専用無線周波数スペクトル帯域中の送信のためのＰＢＲを残さずに、共有無線周波数スペクトル帯域と専用無線周波数スペクトル帯域の両方中の論理チャネル送信に関連する単一のＰＢＲが、共有無線周波数スペクトル帯域中の送信の結果として単一のＰＢＲを枯渇させる機会を緩和する方式で、（１つまたは複数の）論理チャネルにデータをマッピングすることとを可能にする。
【０００９】
[0009]  一例では、ワイヤレス通信のための方法が、アップリンクキャリア上で送信されるべきデータに関連する優先度パラメータ(priority parameter)を識別することと、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための第２のタイプのメッセージの間での選択をすることと、選択されたタイプのメッセージを送信することとを含み得る。
【００１０】
[0010]  一例において、優先度パラメータを識別することは、アップリンクキャリア上での送信のためのバッファステータス報告（ＢＳＲ：buffer status report）メッセージ中で報告されるべき第１の量のデータを識別することと、第１の量のデータが、共有無線周波数スペクトル帯域中のアップリンクリソースを必要とするのか、専用無線周波数スペクトル帯域中のアップリンクリソースを必要とするのかを決定することと、第１のタイプのＢＳＲメッセージまたは第２のタイプのＢＳＲメッセージの間での選択をすることと、第１のタイプのＢＳＲメッセージまたは第２のタイプのＢＳＲメッセージのいずれかを送信することとをさらに含み得る。
【００１１】
[0011]  いくつかの具体例において、第１のタイプのＢＳＲメッセージは、第１の量のデータがアップリンクリソースを必要とするかどうかを決定することに関連するデータを含む。いくつかの具体例において、第２のタイプのＢＳＲメッセージは、第１の量のデータがアップリンクリソースを必要とするかどうかを決定することに関連するデータを含まないことがある（例えば、第１の量のデータがアップリンクリソースを必要とするかどうかの指示が、第２のタイプのＢＳＲメッセージにないかどうか。
【００１２】
[0012]  本方法のいくつかの例において、第１のタイプのメッセージは、第１のタイプのスケジューリング要求を含み得、第２のタイプのメッセージは、第２のタイプのスケジューリング要求を含み得る。いくつかの例において、本方法は、基地局から、第１のタイプのスケジューリング要求をそれ上で送信すべき第１の物理リソースの第１の構成と、第２のタイプのスケジューリング要求をそれ上で送信すべき第２の物理リソースの第２の構成とを受信することを含み得る。いくつかの例において、第１の物理リソースおよび第２の物理リソースは、物理アップリンク制御チャネル（ＰＵＣＣＨ：physical uplink control channel）の別個の時間リソースと、周波数リソースと、コードリソースとを含み得る。いくつかの例において、第１の物理リソースは共有無線周波数スペクトル帯域中にあり得、第２の物理リソースは専用無線周波数スペクトル帯域中にあり得る。いくつかの例において、本方法は、基地局から、物理リソース上で第１のタイプのスケジューリング要求または第２のタイプのスケジューリング要求を送信するための時間領域多重化構成(time domain multiplexing configuration)の指示を受信することを含み得る。いくつかの例において、物理リソースは専用無線周波数スペクトル帯域中にあり得る。
【００１３】
[0013]  いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。いくつかの例において、第１のタイプの指示および第２のタイプの指示は、バッファステータス報告（ＢＳＲ）中で送信され得る。いくつかの例において、ＢＳＲは専用無線周波数スペクトル帯域中で送信され得る。いくつかの例において、第１のタイプの指示は第１のＢＳＲ中で送信され得、第２のタイプの指示は第２のＢＳＲ中で送信され得る。いくつかの例において、第１のＢＳＲおよび第２のＢＳＲは、専用無線周波数スペクトル帯域中で送信され得る。いくつかの例において、アップリンクキャリア上で送信されるべきデータは、論理チャネルグループに関連し得、第１のタイプの指示または第２のタイプの指示は、論理チャネルグループのために送信され得る。いくつかの例において、本方法は、タイマーの満了時に、専用無線周波数スペクトル帯域中のアップリンクキャリア上で送信されるべきバッファされたデータを、共有無線周波数スペクトル帯域中のアップリンクキャリア上で送信されるべきバッファされたデータとすること、または共有無線周波数スペクトル帯域中のアップリンクキャリア上で送信されるべきバッファされたデータを、専用無線周波数スペクトル帯域中のアップリンクキャリア上で送信されるべきバッファされたデータとすることのうちの少なくとも１つの再分類をすることを含み得る。
【００１４】
[0014]  本方法のいくつかの例において、優先度パラメータは、サービス品質（ＱｏＳ：quality of service）パラメータ、データが媒体アクセス制御（ＭＡＣ：Medium Access Control）レイヤ制御情報を含むかどうかの第１の指示、データが上位レイヤ制御情報(upper layer control information)を含むかどうかの第２の指示、データが伝送制御プロトコル（ＴＣＰ：Transmission Control Protocol）肯定応答（ＡＣＫ：acknowledgement）を含むという第３の指示、データが高優先度論理チャネル(high priority logical channel)のためのものであるという第４の指示、またはデータが上位レイヤ再送信(upper layer retransmission)のためのものであるという第５の指示のうちの少なくとも１つを含み得る。
【００１５】
[0015]  一例では、ＵＥにおけるワイヤレス通信のための装置が説明される。本装置は、アップリンクキャリア上で送信されるべきデータに関連する優先度パラメータを識別するための手段と、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための第２のタイプのメッセージの間での選択をするための手段と、選択されたタイプのメッセージを送信するための手段とを含み得る。
【００１６】
[0016]  いくつかの例において、第１のタイプのメッセージは、第１のタイプのスケジューリング要求を含み、第２のタイプのメッセージは、第２のタイプのスケジューリング要求を含む。いくつかの例において、本装置は、基地局から、第１のタイプのスケジューリング要求をそれ上で送信すべき第１の物理リソースの第１の構成と、第２のタイプのスケジューリング要求をそれ上で送信すべき第２の物理リソースの第２の構成とを受信するための手段を含み得る。いくつかの例において、第１の物理リソースおよび第２の物理リソースは、ＰＵＣＣＨの別個の時間リソースと、周波数リソースと、コードリソースとを含み得る。いくつかの例において、第１の物理リソースは共有無線周波数スペクトル帯域中にあり得、第２の物理リソースは専用無線周波数スペクトル帯域中にあり得る。いくつかの例において、本装置は、基地局から、物理リソース上で第１のタイプのスケジューリング要求または第２のタイプのスケジューリング要求を送信するための時間領域多重化構成の指示を受信するための手段を含み得る。いくつかの例において、物理リソースは専用無線周波数スペクトル帯域中にあり得る。
【００１７】
[0017]  本装置のいくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。いくつかの例において、第１のタイプの指示および第２のタイプの指示は、ＢＳＲ中で送信され得る。いくつかの例において、ＢＳＲは専用無線周波数スペクトル帯域中で送信され得る。いくつかの例において、第１のタイプの指示は第１のＢＳＲ中で送信され得、第２のタイプの指示は第２のＢＳＲ中で送信され得る。いくつかの例において、第１のＢＳＲおよび第２のＢＳＲは、専用無線周波数スペクトル帯域中で送信され得る。いくつかの例において、アップリンクキャリア上で送信されるべきデータは、論理チャネルグループに関連し得、第１のタイプの指示または第２のタイプの指示は、論理チャネルグループのために送信され得る。いくつかの例において、本装置は、タイマーの満了時に、専用無線周波数スペクトル帯域中のアップリンクキャリア上で送信されるべきバッファされたデータを、共有無線周波数スペクトル帯域中のアップリンクキャリア上で送信されるべきバッファされたデータとすること、または共有無線周波数スペクトル帯域中のアップリンクキャリア上で送信されるべきバッファされたデータを、専用無線周波数スペクトル帯域中のアップリンクキャリア上で送信されるべきバッファされたデータとすることのうちの少なくとも１つの再分類をするための手段を含み得る。
【００１８】
[0018]  本装置のいくつかの例において、優先度パラメータは、ＱｏＳパラメータ、データがＭＡＣレイヤ制御情報を含むかどうかの第１の指示、データが上位レイヤ制御情報を含むかどうかの第２の指示、データがＴＣＰ  ＡＣＫを含むという第３の指示、データが高優先度論理チャネルのためのものであるという第４の指示、またはデータが上位レイヤ再送信のためのものであるという第５の指示のうちの少なくとも１つを含み得る。
【００１９】
[0019]  一例では、ＵＥにおけるワイヤレス通信のための別の装置が説明される。本装置は、プロセッサと、プロセッサと電子通信しているメモリと、メモリに記憶された命令とを含み得る。プロセッサおよびメモリは、アップリンクキャリア上で送信されるべきデータに関連する優先度パラメータを識別することと、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための第２のタイプのメッセージの間での選択をすることと、選択されたタイプのメッセージを送信することとをするように構成され得る。
【００２０】
[0020]  本装置のいくつかの例において、第１のタイプのメッセージは、第１のタイプのスケジューリング要求を含み得、第２のタイプのメッセージは、第２のタイプのスケジューリング要求を含み得る。いくつかの例において、プロセッサおよびメモリは、基地局から、第１のタイプのスケジューリング要求をそれ上で送信すべき第１の物理リソースの第１の構成と、第２のタイプのスケジューリング要求をそれ上で送信すべき第２の物理リソースの第２の構成とを受信するように構成され得る。いくつかの例において、第１の物理リソースは共有無線周波数スペクトル帯域中にあり得、第２の物理リソースは専用無線周波数スペクトル帯域中にあり得る。いくつかの例において、プロセッサおよびメモリは、基地局から、物理リソース上で第１のタイプのスケジューリング要求または第２のタイプのスケジューリング要求を送信するための時間領域多重化構成の指示を受信するように構成され得る。いくつかの例において、物理リソースは専用無線周波数スペクトル帯域中にある。
【００２１】
[0021]  いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。いくつかの例において、第１のタイプの指示および第２のタイプの指示は、ＢＳＲ中で送信され得る。いくつかの例において、第１のタイプの指示は第１のＢＳＲ中で送信され得、第２のタイプの指示は第２のＢＳＲ中で送信され得る。いくつかの例において、第１のＢＳＲおよび第２のＢＳＲは、専用無線周波数スペクトル帯域中で送信され得る。
【００２２】
[0022]  一例では、ワイヤレス通信のためのコンピュータ実行可能コードを記憶する非一時的コンピュータ可読媒体が説明される。コードは、アップリンクキャリア上で送信されるべきデータに関連する優先度パラメータを識別することと、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための第２のタイプのメッセージの間での選択をすることと、選択されたタイプのメッセージを送信することとをするためにプロセッサによって実行可能であり得る。
【００２３】
[0023]  本非一時的コンピュータ可読媒体のいくつかの例において、第１のタイプのメッセージは、第１のタイプのスケジューリング要求を含み得、第２のタイプのメッセージは、第２のタイプのスケジューリング要求を含み得る。いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。
【００２４】
[0024]  一例では、ＵＥにおけるワイヤレス通信のための別の方法が説明される。本方法は、１つまたは複数の論理チャネルの各々のための第１のＰＢＲおよび第２のＰＢＲを維持することを含み得、ここで、第１のＰＢＲは、共有無線周波数スペクトル帯域および専用無線周波数スペクトル帯域中の送信に関連し、第２のＰＢＲは、専用無線周波数スペクトル帯域中の送信に関連する。本方法は、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可(uplink grants)のリソースにマッピングすることをも含み得る。
【００２５】
[0025]  一例では、ＵＥにおけるワイヤレス通信のための別の装置が説明される。本装置は、１つまたは複数の論理チャネルの各々のための第１のＰＢＲおよび第２のＰＢＲを維持するための手段を含み得、ここで、第１のＰＢＲは、共有無線周波数スペクトル帯域および専用無線周波数スペクトル帯域中の送信に関連し、第２のＰＢＲは、専用無線周波数スペクトル帯域中の送信に関連する。本装置は、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可のリソースにマッピングするための手段をも含み得る。
【００２６】
[0026]  一例では、ＵＥにおけるワイヤレス通信のための別の装置が説明される。本装置は、プロセッサと、プロセッサと電子通信しているメモリと、メモリに記憶された命令とを含み得る。プロセッサおよびメモリは、１つまたは複数の論理チャネルの各々のための第１のＰＢＲおよび第２のＰＢＲを維持するように構成され得、ここで、第１のＰＢＲは、共有無線周波数スペクトル帯域および専用無線周波数スペクトル帯域中の送信に関連し、第２のＰＢＲは、専用無線周波数スペクトル帯域中の送信に関連する。命令はまた、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可のリソースにマッピングするためにプロセッサによって実行可能であり得る。
【００２７】
[0027]  一例では、ワイヤレス通信のためのコンピュータ実行可能コードを記憶する別の非一時的コンピュータ可読媒体が説明される。コードは、１つまたは複数の論理チャネルの各々のための第１のＰＢＲおよび第２のＰＢＲを維持するためにプロセッサによって実行可能であり得、ここで、第１のＰＢＲは、共有無線周波数スペクトル帯域および専用無線周波数スペクトル帯域中の送信に関連し、第２のＰＢＲは、専用無線周波数スペクトル帯域中の送信に関連する。コードはまた、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可のリソースにマッピングするためにプロセッサによって実行可能であり得る。
【００２８】
[0028]  一例では、ＵＥにおけるワイヤレス通信のための別の方法が説明される。本方法は、専用無線周波数スペクトル帯域中の第１のアップリンクキャリアおよび共有無線周波数スペクトル帯域中の第２のアップリンクキャリア上で通信することと、複数の論理チャネルの公称スケジューリング優先度(nominal scheduling priority)を決定するために、複数の論理チャネルの各々のためのＰＢＲを維持することと、専用無線周波数スペクトル帯域中の第１のアップリンクキャリアのためのアップリンク許可を受信することと、公称スケジューリング優先度とは無関係に適用される論理チャネル優先度(logical channel priority)に従って、複数の論理チャネルのうちの論理チャネルに関連するデータの少なくとも一部分を、アップリンク許可のリソースにマッピングすることとを含み得る。いくつかの例において、論理チャネルに関連するデータの少なくとも一部分は、上位レイヤ再送信、上位レイヤ制御情報、または伝送制御プロトコルＴＣＰ  ＡＣＫのうちの少なくとも１つを含み得る。
【００２９】
[0029]  一例では、ＵＥにおけるワイヤレス通信のための別の装置が説明される。本装置は、専用無線周波数スペクトル帯域中の第１のアップリンクキャリアおよび共有無線周波数スペクトル帯域中の第２のアップリンクキャリア上で通信するための手段と、複数の論理チャネルの公称スケジューリング優先度を決定するために、複数の論理チャネルの各々のためのＰＢＲを維持するための手段と、専用無線周波数スペクトル帯域中の第１のアップリンクキャリアのためのアップリンク許可を受信するための手段と、公称スケジューリング優先度とは無関係に適用される論理チャネル優先度に従って、複数の論理チャネルのうちの論理チャネルに関連するデータの少なくとも一部分を、アップリンク許可のリソースにマッピングするための手段とを含み得る。いくつかの例において、論理チャネルに関連するデータの少なくとも一部分は、上位レイヤ再送信、上位レイヤ制御情報、またはＴＣＰ  ＡＣＫのうちの少なくとも１つを含み得る。
【００３０】
[0030]  一例では、ＵＥにおけるワイヤレス通信のための別の装置が説明される。本装置は、プロセッサと、プロセッサと電子通信しているメモリと、メモリに記憶された命令とを含み得る。プロセッサおよびメモリは、専用無線周波数スペクトル帯域中の第１のアップリンクキャリアおよび共有無線周波数スペクトル帯域中の第２のアップリンクキャリア上で通信することと、複数の論理チャネルの公称スケジューリング優先度を決定するために、複数の論理チャネルの各々のためのＰＢＲを維持することと、専用無線周波数スペクトル帯域中の第１のアップリンクキャリアのためのアップリンク許可を受信することと、公称スケジューリング優先度とは無関係に適用される論理チャネル優先度に従って、複数の論理チャネルのうちの論理チャネルに関連するデータの少なくとも一部分を、アップリンク許可のリソースにマッピングすることとをするように構成され得る。
【００３１】
[0031]  一例では、ワイヤレス通信のためのコンピュータ実行可能コードを記憶する別の非一時的コンピュータ可読媒体が説明される。コードは、専用無線周波数スペクトル帯域中の第１のアップリンクキャリアおよび共有無線周波数スペクトル帯域中の第２のアップリンクキャリア上で通信することと、複数の論理チャネルの公称スケジューリング優先度を決定するために、複数の論理チャネルの各々のためのＰＢＲを維持することと、専用無線周波数スペクトル帯域中の第１のアップリンクキャリアのためのアップリンク許可を受信することと、公称スケジューリング優先度とは無関係に適用される論理チャネル優先度に従って、複数の論理チャネルのうちの論理チャネルに関連するデータの少なくとも一部分を、アップリンク許可のリソースにマッピングすることとをするためにプロセッサによって実行可能であり得る。
【００３２】
[0032]  上記は、以下の詳細な説明がより良く理解され得るように、本開示による例の技法および技術的利点についてやや広く概説した。追加の技法および利点が以下で説明される。開示される概念および具体例は、本開示の同じ目的を果たすために他の構造を設計または変更(modifying)するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものでない。
【００３３】
[0033]  本発明の性質および利点のさらなる理解が、以下の図面への参照によって実現され得る。添付の図では、同様の構成要素または機能が同じ参照ラベルを有し得る。さらに、同じタイプの様々な構成要素が、参照ラベルの後に、ダッシュと、これら同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３４】
【図１】本開示の様々な態様による、ワイヤレス通信システムの一例を示す図。
【図２】本開示の様々な態様による、ＬＴＥ／ＬＴＥ−Ａが、共有無線周波数スペクトル帯域を使用して認可支援アクセス（ＬＡＡ：licensed-assisted access）ＣＡモードの下で展開され得るワイヤレス通信システムを示す図。
【図３】本開示の様々な態様による、共有無線周波数スペクトル帯域中のアップリンクリソースを要求するためのメッセージフローを示す図。
【図４】本開示の様々な態様による、１つまたは複数の論理チャネルに関連するデータを、１つまたは複数のアップリンク許可のリソースにマッピングするためのメッセージフローを示す図。
【図５】本開示の様々な態様による、ワイヤレス通信において使用するための装置のブロック図。
【図６】本開示の様々な態様による、ワイヤレス通信において使用するための装置のブロック図。
【図７】本開示の様々な態様による、ワイヤレス通信において使用するための装置のブロック図。
【図８】本開示の様々な態様による、ワイヤレス通信において使用するための装置のブロック図。
【図９】本開示の様々な態様による、ワイヤレス通信において使用するための装置のブロック図。
【図１０】本開示の様々な態様による、ワイヤレス通信において使用するためのＵＥのブロック図。
【図１１】本開示の様々な態様による、ワイヤレス通信において使用するための基地局（例えば、ｅＮＢの一部または全部を形成する基地局）のブロック図。
【図１２】本開示の様々な態様による、ＵＥにおけるワイヤレス通信のための方法の一例を示すフローチャート。
【図１３】本開示の様々な態様による、ＵＥにおけるワイヤレス通信のための方法の一例を示すフローチャート。
【図１４】本開示の様々な態様による、ＵＥにおけるワイヤレス通信のための方法の一例を示すフローチャート。
【図１５】本開示の様々な態様による、ＵＥにおけるワイヤレス通信のための方法の一例を示すフローチャート。
【図１６】本開示の様々な態様による、ＵＥにおけるワイヤレス通信のための方法の一例を示すフローチャート。
【図１７】本開示の様々な態様による、ＵＥにおけるワイヤレス通信のための方法の一例を示すフローチャート。
【図１８】本開示の様々な態様による、ＵＥにおけるワイヤレス通信のための方法の一例を示すフローチャート。
【詳細な説明】
【００３５】
[0052]  共有無線周波数スペクトル帯域がワイヤレス通信システム上での通信の少なくとも一部分のために使用される技法が説明される。いくつかの例において、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【００３６】
[0053]  専用無線周波数スペクトル帯域を使用するセルラーネットワークにおけるデータトラフィックの増加とともに、少なくとも一部のデータトラフィックの、共有無線周波数スペクトル帯域へのオフローディング(offloading)は、セルラー事業者（例えば、ＰＬＭＮまたはＬＴＥ／ＬＴＥ−Ａネットワークのような、セルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。共有無線周波数スペクトル帯域上で通信する前に、送信装置は、共有無線周波数スペクトル帯域へのアクセスを獲得するためにリッスンビフォアトーク（ＬＢＴ：Listen-Before-Talk）プロシージャを行い得る。そのようなＬＢＴプロシージャは、共有無線周波数スペクトル帯域のチャネル（またはキャリア）が利用可能である識別するために、クリアチャネルアセスメント（ＣＣＡ）プロシージャ（または拡張ＣＣＡプロシージャ）を行うことを含み得る。共有無線周波数スペクトル帯域のチャネルが利用可能であると決定されたとき、チャネル予約信号（例えば、チャネル使用ビーコン信号（ＣＵＢＳ：channel usage beacon signal））が、チャネルを予約するために送信され得る。チャネルが利用可能でないと決定されたとき、そのチャネルのためのＣＣＡプロシージャ（または拡張ＣＣＡプロシージャ）が、後で再び行われ得る。
【００３７】
[0054]  デバイスは、１つまたは複数の他のデバイスの未知のおよび場合によってはランダムなアクティビティに基づいて、所与の時間間隔の間、共有無線周波数スペクトル帯域のチャネルへのアクセスを求める競合に勝つことも負けることもあるので、共有無線周波数スペクトル帯域へのアクセスが保証されないことがある。共有無線周波数スペクトル帯域への保証されたアクセスの欠如は、より高い優先度に関連するアップリンク送信を妨害することがある。本開示で説明される技法は、ＵＥが、（例えば、より優先度の高い送信のために必要とされたとき）専用無線周波数スペクトル帯域中のアップリンクリソースを要求することを可能にし、ＵＥが、より優先度の高い送信を、専用無線周波数スペクトル帯域中のアップリンクリソースにマッピングすることを可能にする。
【００３８】
[0055]  以下の説明は、例を与えるものであり、特許請求の範囲に記載される範囲、適用可能性、または例を限定するものでない。本開示の範囲から逸脱することなく、説明される要素の機能および構成において変更が行われ得る。様々な例は、適宜に様々なプロシージャまたは構成要素を省略、置換、または追加し得る。例えば、説明される方法は、説明される順序とは異なる順序で行われ得、様々なステップが追加、省略、または組み合わせられ得る。また、いくつかの例に関して説明される特徴は、他の例において組み合わせられ得る。
【００３９】
[0056]  図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし得、ＵＥ１１５との通信のための無線構成(radio configuration)およびスケジューリングを行い得るか、または基地局コントローラ（図示せず）の制御下で動作し得る。様々な例において、基地局１０５は、ワイヤードまたはワイヤレス通信リンクであり得るバックホールリンク１３４（例えば、Ｘ１など）を介して、直接的または間接的のいずれかで（例えば、コアネットワーク１３０を通して）、互いに通信し得る。
【００４０】
[0057]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（例えば、マクロ基地局またはスモールセル基地局）を含み得る。異なる技術のための重複する地理的カバレージエリア１１０があり得る。
【００４１】
[0058]  いくつかの例において、ワイヤレス通信システム１００はＬＴＥ／ＬＴＥ−Ａネットワークを含み得る。ＬＴＥ／ＬＴＥ−Ａネットワークにおいて、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、または他のタイプのセルに通信カバレージを与え得る。「セル」という用語は、文脈に依存して、基地局、基地局に関連するキャリアまたはコンポーネントキャリア、あるいはキャリアまたは基地局のカバレージエリア（例えば、セクタなど）を表すために使用され得る３ＧＰＰ（登録商標）用語である。
【００４２】
[0059]  マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと比較して、同じまたは異なる（例えば、認可、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００４３】
[0060]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００４４】
[0061]  様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信がＩＰベースであり得る。ＲＬＣレイヤが、論理チャネル上で通信するために、パケットセグメンテーションおよびリアセンブリを行い得る。媒体アクセス制御（ＭＡＣ）レイヤが、優先度処理と、トランスポートチャネルへの論理チャネルの多重化とを行い得る。ＭＡＣレイヤはまた、リンク効率を改善するためにＭＡＣレイヤにおいて再送信を行うためにハイブリッドＡＲＱ（ＨＡＲＱ）を使用し得る。制御プレーンにおいて、ＲＲＣプロトコルレイヤは、ユーザプレーンデータのための無線ベアラをサポートする、ＵＥ１１５と基地局１０５またはコアネットワーク１３０との間のＲＲＣ接続の確立(establishment)、構成(configuration)、および維持(maintenance)を行い得る。物理（ＰＨＹ）レイヤで、トランスポートチャネルは物理チャネルにマッピングされ得る。
【００４５】
[0062]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００４６】
[0063]  ワイヤレス通信システム１００に示される通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。
【００４７】
[0064]  いくつかの例において、各通信リンク１２５は１つまたは複数のキャリアを含み得、ここで、各キャリアは、上述された様々な無線技術に従って変調された複数のサブキャリア（例えば、異なる周波数の波形信号）からなる信号であり得る。各被変調信号は、異なるサブキャリア上で送られ得、（本開示におけるいくつかの場合に「データ」と総称される）制御情報（例えば、基準信号、制御チャネルなど）、オーバーヘッド情報、ユーザデータなどを搬送し得る。通信リンク１２５は、周波数領域複信（ＦＤＤ：frequency domain duplexing）動作を使用して（例えば、対スペクトルリソースを使用して）、または時間領域複信（ＴＤＤ：time domain duplexing）動作を使用して（例えば、不対スペクトルリソースを使用して）双方向通信を送信し得る。ＦＤＤ動作のためのフレーム構造（例えば、フレーム構造タイプ１）とＴＤＤ動作のためのフレーム構造（例えば、フレーム構造タイプ２）とが定義され得る。
【００４８】
[0065]  ワイヤレス通信システム１００のいくつかの例において、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４９】
[0066]  ワイヤレス通信システム１００は、複数のセルまたはキャリア上での動作、すなわち、キャリアアグリゲーション（ＣＡ：carrier aggregation）またはデュアル接続性動作(dual-connectivity operation)と呼ばれることがある特徴をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書において同義で使用され得る。キャリアアグリゲーションは、ＦＤＤコンポーネントキャリアとＴＤＤコンポーネントキャリアの両方とともに使用され得る。
【００５０】
[0067]  ＬＴＥ／ＬＴＥ−Ａネットワークでは、ＵＥ１１５が、キャリアアグリゲーションモードまたはデュアル接続性モードで動作しているときに最高５つのコンポーネントキャリア（ＣＣ）を使用して通信するように構成され得る。ＣＣのうちの１つまたは複数はＤＬ  ＣＣとして構成され得、ＣＣのうちの１つまたは複数はＵＬ  ＣＣとして構成され得る。また、ＵＥ１１５に割り振られたＣＣのうちの１つは１次ＣＣ（ＰＣＣ：primary CC）として構成され得、ＵＥ１１５に割り振られた残りのＣＣは、２次ＣＣ（ＳＣＣ：secondary CC）として構成され得る。
【００５１】
[0068]  いくつかの例において、ワイヤレス通信システム１００は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域））、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。共有無線周波数スペクトル帯域へのアクセスを求める競合に勝つと、送信装置（例えば、基地局１０５またはＵＥ１１５）は、共有無線周波数スペクトル帯域上で１つまたは複数のＣＵＢＳを送信し得る。ＣＵＢＳは、共有無線周波数スペクトル帯域上で検出可能なエネルギーを与えることによって、共有無線周波数スペクトル帯域を予約し得る。ＣＵＢＳはまた、送信装置を識別する役割を果たすか、または送信装置と受信装置とを同期させる役割を果たし得る。
【００５２】
[0069]  図２は、本開示の様々な態様による、ＬＴＥ／ＬＴＥ−Ａが、共有無線周波数スペクトル帯域を使用して認可支援アクセス（ＬＡＡ：licensed-assisted access）ＣＡモードの下で展開され得るワイヤレス通信システム２００を示す。ワイヤレス通信システム２００は、図１を参照して説明されたワイヤレス通信システム１００の部分の一例であり得る。その上、基地局２０５は、図１を参照して説明された基地局１０５のうちの１つまたは複数の態様の一例であり得、ＵＥ２１５は、図１を参照して説明されたＵＥ１１５のうちの１つまたは複数の態様の一例であり得る。
【００５３】
[0070]  ワイヤレス通信システム２００におけるＬＡＡ  ＣＡモードの一例において、基地局２０５は、第１の双方向リンク２３０を使用してＵＥ２１５にＯＦＤＭＡ波形を送信し得、第１の双方向リンク２３０を使用してＵＥ２１５からＯＦＤＭＡ波形、ＳＣ−ＦＤＭＡ波形、またはリソースブロックインターリーブＦＤＭＡ波形を受信し得る。第１の双方向リンク２３０は、共有無線周波数スペクトル帯域中の周波数Ｆ１に関連し得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。基地局２０５はまた、第２の双方向リンク２３５を使用してＵＥ２１５にＯＦＤＭＡ波形を送信し得、第２の双方向リンク２３５を使用してＵＥ２１５からＳＣ−ＦＤＭＡ波形を受信し得る。第２の双方向リンク２３５は、専用無線周波数スペクトル帯域中の周波数Ｆ２に関連し得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。第１の双方向リンク２３０は基地局２０５にダウンリンクおよびアップリンク容量オフロードを与え得る。この例は、サービスプロバイダ（例えば、モバイルネットワーク事業者（ＭＮＯ））が、専用無線周波数スペクトル帯域を使用し、共有無線周波数スペクトル帯域を使用してトラフィックまたはシグナリング輻輳を軽減するときに行われ得る。この例は説明の目的で提示され、容量オフロードのために、専用無線周波数スペクトル帯域中のＬＴＥ／ＬＴＥ−Ａ通信を共有無線周波数スペクトル帯域中のＬＴＥ／ＬＴＥ−Ａ通信と組み合わせる他の同様の動作モードまたは展開シナリオがあり得る。
【００５４】
[0071]  上述されたように、共有無線周波数スペクトル帯域中のＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権を有する旧来のＭＮＯである。これらサービスプロバイダの場合、動作例は、専用無線周波数スペクトル帯域上のＬＴＥ／ＬＴＥ−Ａ  ＰＣＣと共有無線周波数スペクトル帯域上の少なくとも１つのＳＣＣとを使用するブートストラップモードを含み得る。
【００５５】
[0072]  ＬＡＡ  ＣＡモードでは、データおよび制御信号が、例えば、専用無線周波数スペクトル帯域中で（例えば、第２の双方向リンク２３５を介して）通信され得るが、データは、例えば、共有無線周波数スペクトル帯域中で（例えば、第１の双方向リンク２３０を介して）通信され得る。代替的に、制御信号はまた、共有無線周波数スペクトル帯域中で通信され得る。いくつかの例において、共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００５６】
[0073]  いくつかの例では、図１または図２を参照して説明された基地局１０５または２０５のうちの１つ、あるいは図１または図２を参照して説明されたＵＥ１１５または２１５のうちの１つのような送信装置が、共有無線周波数スペクトル帯域のチャネルへの（例えば、共有無線周波数スペクトル帯域の物理チャネルへの）アクセスを獲得するためにゲーティング間隔(gating interval)を使用し得る。いくつかの例において、ゲーティング間隔は周期的であり得る。例えば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）において指定されているＬＢＴプロトコル（ＥＮ３０１  ８９３）に基づくＬＢＴプロトコルのような、競合ベースプロトコルの適用を定義し得る。ＬＢＴプロトコルの適用を定義するゲーティング間隔を使用するとき、ゲーティング間隔は、送信装置が、ＣＣＡプロシージャのような競合プロシージャ（例えば、ＬＢＴプロシージャ）をいつ行う必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（例えば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（例えば、チャネルが別の送信装置によって使用中または予約済みであること）をＣＣＡプロシージャが示すとき、送信装置は、ＬＢＴ無線フレーム中にチャネルを使用することを妨げられ得る。
【００５７】
[0074]  図３は、本開示の様々な態様による、共有無線周波数スペクトル帯域中のアップリンクリソースを要求するためのメッセージフロー３００を示す。メッセージは、基地局３０５とＵＥ３１５との間で送信され得る。基地局３０５は、図１または図２を参照して説明された基地局１０５または２０５の態様の一例であり得、ＵＥ３１５は、図１または図２を参照して説明されたＵＥ１１５または２１５の態様の一例であり得る。
【００５８】
[0075]  ３２０で、基地局３０５は、ＵＥ３１５に、１つまたは複数のタイプのスケジューリング要求（ＳＲ：scheduling request）またはバッファステータス報告（ＢＳＲ）の構成を随意に送信し得る。代替的に、ＵＥ３１５は、例えば、（ソフトウェアインストールまたは更新中に）別の方式で（１つまたは複数の）構成を与えられ得る。１つまたは複数のタイプのスケジューリング要求またはバッファステータス報告は、データが共有無線周波数スペクトル帯域または専用無線周波数スペクトル帯域のいずれか中で送信され得るとき（例えば、データが、より低い優先度に関連し、共有無線周波数スペクトル帯域へのアクセスを求める競合に勝つのを待つことによって引き起こされる遅延によって影響を及ぼされないことがあるとき）、ＵＥ３１５が、共有無線周波数スペクトル帯域または専用無線周波数スペクトル帯域中のアップリンクリソースを要求することを可能にし得る。１つまたは複数のタイプのスケジューリング要求またはバッファステータス報告はまた、データがより高い優先度に関連し、データの送信が、共有無線周波数スペクトル帯域へのアクセスを求める競合に勝つのを待つことによって引き起こされる遅延によって悪影響を及ぼされ得るとき、ＵＥ３１５が、専用無線周波数スペクトル帯域中のアップリンクリソースを要求することを可能にし得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。
【００５９】
[0076]  ３２５で、ＵＥ３１５は、アップリンクキャリア上で送信されるべきデータに関連する優先度パラメータを識別し得る。いくつかの例において、優先度パラメータは、サービス品質（ＱｏＳ）パラメータ、データがＭＡＣレイヤ制御情報（例えば、バッファステータス報告（ＢＳＲ）またはパワーヘッドルーム報告（ＰＨＲ：power headroom report））を備えるかどうかの第１の指示、データが上位レイヤ制御情報（例えば、ＲＲＣシグナリング、ＲＬＣステータスプロトコルデータユニット（ＰＤＵ）、ＲＬＣポールＰＤＵ、あるいはＰＤＣＰまたは上位レイヤ制御情報（例えば、ボイスオーバーＬＴＥ（ＶｏＬＴＥ）がサポートされる場合、ロバストヘッダ圧縮（ＲｏＨＣ：robust header compression）制御情報）を備えるかどうかの第２の指示、データがＴＣＰ  ＡＣＫを備えるという第３の指示、データが高優先度論理チャネルのためのものであるという第４の指示、もしくはデータが上位レイヤ再送信（例えば、ＲＬＣ再送信）のためのものであるという第５の指示のうちの少なくとも１つを含み得る。いくつかの例において、ＵＥ３１５は、アップリンクキャリア上での送信のためのＢＳＲメッセージ中で報告されるべき第１の量のデータを識別し得る。
【００６０】
[0077]  ３３０で、ＵＥ３１５は、識別された優先度パラメータに少なくとも部分的に基づいて、共有無線周波数スペクトル帯域または専用無線周波数スペクトル帯域中のアップリンクリソースを要求するための第１のタイプのメッセージ（例えば、第１のタイプのスケジューリング要求またはバッファされたデータの第１のタイプの指示）、あるいは専用無線周波数スペクトル帯域中のアップリンクリソースを要求するための第２のタイプのメッセージ（例えば、第２のタイプのスケジューリング要求またはバッファされたデータの第２のタイプの指示）の間で選択し得る。いくつかの例において、第１のタイプのメッセージは、共有無線周波数スペクトル帯域または専用無線周波数スペクトル帯域中のアップリンクリソースのための第１のタイプのスケジューリング要求を含み得、第２のタイプのメッセージは、専用無線周波数スペクトル帯域中のアップリンクリソースのための第２のタイプのスケジューリング要求を含み得る。いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。
【００６１】
[0078]  ＵＥが、アップリンクキャリア上での送信のためのＢＳＲメッセージ中で報告されるべき第１の量のデータを識別した場合、３３０で、ＵＥは、第１の量のデータが、共有無線周波数スペクトル帯域中のアップリンクリソースを必要とするのか、専用無線周波数スペクトル帯域中のアップリンクリソースを必要とするのかを決定し得る。
【００６２】
[0079]  ３３５で、ＵＥ３１５は、基地局３０５に、選択されたタイプのメッセージを送信し得る。メッセージは、図６、図７、図１３、図１４、図１５、または図１６を参照して説明されるように、共有無線周波数スペクトル帯域または専用無線周波数スペクトル帯域上で送信され得る。メッセージがＢＳＲメッセージである場合、３３５で、ＵＥは、第１のタイプのＢＳＲメッセージまたは第２のタイプのＢＳＲメッセージの間で選択し得、ここで、第１のタイプのＢＳＲメッセージは、第１の量のデータがアップリンクリソースを必要とするかどうかを決定することに関連するデータを含み、ここで、第２のタイプのＢＳＲメッセージは、第１の量のデータがアップリンクリソースを必要とするかどうかを決定することに関連するデータを含まない。３４０で、基地局３０５は、ＵＥ３１５にアップリンク許可を送信し得る。アップリンク許可は、３３５で送信されたメッセージのタイプに依存して、共有無線周波数スペクトル帯域または専用無線周波数スペクトル帯域上で送信され得、共有無線周波数スペクトル帯域または専用無線周波数スペクトル帯域上のアップリンクリソースを許可し得る。
【００６３】
[0080]  図４は、本開示の様々な態様による、１つまたは複数の論理チャネルに関連するデータを、１つまたは複数のアップリンク許可のリソースにマッピングするためのメッセージフロー４００を示す。メッセージは、基地局４０５とＵＥ４１５との間で送信され得る。基地局４０５は、図１、図２、または図３を参照して説明された基地局１０５、２０５、または３０５の態様の一例であり得、ＵＥ４１５は、図１、図２、または図３を参照して説明されたＵＥ１１５、２１５、または３１５の態様の一例であり得る。
【００６４】
[0081]  基地局４０５およびＵＥ４１５は、専用無線周波数スペクトル帯域中の第１のアップリンクキャリアおよび共有無線周波数スペクトル帯域中の第２のアップリンクキャリアのうちの１つまたは複数上で通信し得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【００６５】
[0082]  ４２０で、ＵＥ４１５は、１つまたは複数の論理チャネルの各々のための少なくとも１つの優先ビットレート（ＰＢＲ）を確立または維持し得る。いくつかの例において、ＵＥ４１５は、複数の論理チャネルの公称スケジューリング優先度を決定するために、複数の論理チャネルの各々のための単一のＰＢＲ（例えば、共有無線周波数スペクトル帯域および専用無線周波数スペクトル帯域中の送信のための単一のＰＢＲ）を確立または維持し得る。いくつかの例において、ＵＥ４１５は、１つまたは複数の論理チャネルの各々のための第１のＰＢＲおよび第２のＰＢＲを確立または維持し得る。第１のＰＢＲは、共有無線周波数スペクトル帯域または専用無線周波数スペクトル帯域中の送信に関連し得、第２のＰＢＲは、専用無線周波数スペクトル帯域中の送信に関連し得る。
【００６６】
[0083]  ４２５で、基地局４０５は、ＵＥ４１５に、１つまたは複数のアップリンク許可を送信し得る。アップリンク許可は、専用無線周波数スペクトル帯域中のリソースのための１つまたは複数のアップリンク許可および／または共有無線周波数スペクトル帯域中のリソースのための１つまたは複数のアップリンク許可を含み得る。
【００６７】
[0084]  ４３０で、ＵＥ４１５は、１つまたは複数の論理チャネルに関連するデータを、１つまたは複数のアップリンク許可のリソースにマッピングし得る。いくつかの例において、ＵＥ４１５は、公称スケジューリング優先度とは無関係に適用される論理チャネル優先度に従って、論理チャネルに関連するデータの少なくとも一部分を、アップリンク許可のリソースにマッピングし得る。他の例において、ＵＥ４１５は、論理チャネルのための（共有無線周波数スペクトル帯域または専用無線周波数スペクトル帯域中の送信に関連する）第１のＰＢＲおよび論理チャネルのための（専用無線周波数スペクトル帯域中の送信に関連する）第２のＰＢＲに従って、論理チャネルに関連するデータの少なくとも一部分を、アップリンク許可のうちの１つまたは複数のリソースにマッピングし得る。いくつかの例において、論理チャネルに関連するデータの少なくとも一部分は、上位レイヤ再送信、上位レイヤ制御情報、またはＴＣＰ  ＡＣＫのうちの少なくとも１つを含み得る。
【００６８】
[0085]  ４３０で行われる（１つまたは複数の）マッピングは、専用無線周波数スペクトル帯域中の送信のためのＰＢＲを残さずに、共有無線周波数スペクトル帯域と専用無線周波数スペクトル帯域の両方中の論理チャネル送信に関連する単一のＰＢＲが、共有無線周波数スペクトル帯域中の送信の結果として単一のＰＢＲを枯渇させる機会を緩和し得る。いくつかの例において、専用無線周波数スペクトル帯域中の送信は、共有無線周波数スペクトル帯域中の送信よりも高い優先度に関連し得る。
【００６９】
[0086]  図５は、本開示の様々な態様による、ワイヤレス通信において使用するための装置５１５のブロック図５００を示す。装置５１５は、図１、図２、図３、または図４を参照して説明されたＵＥ１１５、２１５、３１５、または４１５のうちの１つまたは複数の態様の一例であり得る。装置５１５はまた、プロセッサであるか、またはそれを含み得る。装置５１５は、受信機５１０、ワイヤレス通信マネージャ５２０、または送信機５３０を含み得る。これら構成要素の各々は、互いに通信していることがある。
【００７０】
[0087]  装置５１５の構成要素は、適用可能な機能の一部または全部をハードウェアで行うように適応された１つまたは複数の特定用途向け集積回路（ＡＳＩＣ）を使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得る。各構成要素の機能はまた、メモリ中に組み込まれ、１つまたは複数の汎用または特定用途向けプロセッサによって実行されるようにフォーマットされた命令を用いて、全体的にまたは部分的に、実施され得る。
【００７１】
[0088]  いくつかの例において、受信機５１０は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域）、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つの無線周波数（ＲＦ）受信機のような、少なくとも１つのＲＦ受信機を含み得る。いくつかの例において、専用無線周波数スペクトル帯域または共有無線周波数スペクトル帯域は、例えば、図１、図２、図３、または図４を参照して説明されたように、ＬＴＥ／ＬＴＥ−Ａ通信のために使用され得る。受信機５１０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を受信するために使用され得る。通信リンクは、第１の無線周波数スペクトル帯域または第２の無線周波数スペクトル帯域上で確立され得る。
【００７２】
[0089]  いくつかの例において、送信機５３０は、専用無線周波数スペクトル帯域または共有無線周波数スペクトル帯域上で送信するように動作可能な少なくとも１つのＲＦ送信機のような、少なくとも１つのＲＦ送信機を含み得る。送信機５３０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００７３】
[0090]  いくつかの例において、ワイヤレス通信マネージャ５２０は、装置５１５のためのワイヤレス通信の１つまたは複数の態様を管理するために使用され得る。いくつかの例では、ワイヤレス通信マネージャ５２０の一部が、受信機５１０または送信機５３０に組み込まれるかまたはそれと共有され得る。いくつかの例において、ワイヤレス通信マネージャ５２０は、アップリンクデータ優先度識別器５３５、メッセージタイプセレクタ５４０、または送信マネージャ５４５を含み得る。
【００７４】
[0091]  アップリンクデータ優先度識別器５３５は、アップリンクキャリア上で送信されるべきデータに関連する優先度パラメータを識別するために使用され得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。優先度パラメータを識別することは、アップリンクキャリア上での送信のためのバッファステータス報告（ＢＳＲ）メッセージ中で報告されるべき第１の量のデータを識別することをさらに含み得る。いくつかの例において、アップリンクデータ優先度識別器５３５は、第１の量のデータが、共有無線周波数スペクトル帯域中のアップリンクリソースを必要とするのか、専用無線周波数スペクトル帯域中のアップリンクリソースを必要とするのかを決定し得る。他の例では、別の構成要素が決定を行い得る。
【００７５】
[0092]  メッセージタイプセレクタ５４０は、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための得る第２のタイプのメッセージの間での選択をするために使用され得る。いくつかの例において、第１のタイプのメッセージは、共有無線周波数スペクトル帯域または専用無線周波数スペクトル帯域中のアップリンクリソースのための第１のタイプのスケジューリング要求を含み得、第２のタイプのメッセージは、専用無線周波数スペクトル帯域中のアップリンクリソースのための第２のタイプのスケジューリング要求を含み得る。いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。いくつかの例において、選択することは、第１のタイプのＢＳＲメッセージまたは第２のタイプのＢＳＲメッセージの間での選択をすることと、第１のタイプのＢＳＲメッセージまたは第２のタイプのＢＳＲメッセージのいずれかを送信することとを含み得る。
【００７６】
[0093]  送信マネージャ５４５は、（例えば、基地局に）選択されたタイプのメッセージを送信するために使用され得る。
【００７７】
[0094]  図６は、本開示の様々な態様による、ワイヤレス通信において使用するための装置６１５のブロック図６００を示す。装置６１５は、図１、図２、図３、または図４を参照して説明されたＵＥ１１５、２１５、３１５、または４１５のうちの１つまたは複数の態様、あるいは図５を参照して説明された装置５１５の態様の一例であり得る。装置６１５はまた、プロセッサであるか、またはそれを含み得る。装置６１５は、受信機６１０、ワイヤレス通信マネージャ６２０、または送信機６３０を含み得る。これら構成要素の各々は、互いに通信していることがある。
【００７８】
[0095]  装置６１５の構成要素は、適用可能な機能の一部または全部をハードウェアで行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、ＳｏＣ、および／または他のタイプのセミカスタムＩＣ）が使用され得る。各構成要素の機能はまた、メモリ中に組み込まれ、１つまたは複数の汎用または特定用途向けプロセッサによって実行されるようにフォーマットされた命令を用いて、全体的にまたは部分的に、実施され得る。
【００７９】
[0096]  いくつかの例において、受信機６１０は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域）、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機のような、少なくとも１つのＲＦ受信機を含み得る。いくつかの例において、専用無線周波数スペクトル帯域または共有無線周波数スペクトル帯域は、例えば、図１、図２、図３、または図４を参照して説明されたように、ＬＴＥ／ＬＴＥ−Ａ通信のために使用され得る。受信機６１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機（例えば、専用ＲＦスペクトル帯域のためのＬＴＥ／ＬＴＥ−Ａ受信機６１２）、および共有無線周波数スペクトル帯域上で通信するためのＬＴＥ／ＬＴＥ−Ａ受信機（例えば、共有ＲＦスペクトル帯域のためのＬＴＥ／ＬＴＥ−Ａ受信機６１４）の形態をとり得る。専用ＲＦスペクトル帯域のためのＬＴＥ／ＬＴＥ−Ａ受信機６１２または共有ＲＦスペクトル帯域のためのＬＴＥ／ＬＴＥ−Ａ受信機６１４を含む受信機６１０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００８０】
[0097]  いくつかの例において、送信機６３０は、専用無線周波数スペクトル帯域または共有無線周波数スペクトル帯域上で送信するように動作可能な少なくとも１つのＲＦ送信機のような、少なくとも１つのＲＦ送信機を含み得る。送信機６３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機（例えば、専用ＲＦスペクトル帯域のためのＬＴＥ／ＬＴＥ−Ａ送信機６３２）、および共有無線周波数スペクトル帯域上で通信するためのＬＴＥ／ＬＴＥ−Ａ送信機（例えば、共有ＲＦスペクトル帯域のためのＬＴＥ／ＬＴＥ−Ａ送信機６３４）の形態をとり得る。専用ＲＦスペクトル帯域のためのＬＴＥ／ＬＴＥ−Ａ送信機６３２または共有ＲＦスペクトル帯域のためのＬＴＥ／ＬＴＥ−Ａ送信機６３４を含む送信機６３０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００８１】
[0098]  いくつかの例において、ワイヤレス通信マネージャ６２０は、装置６１５のためのワイヤレス通信の１つまたは複数の態様を管理するために使用され得る。いくつかの例では、ワイヤレス通信マネージャ６２０の一部が、受信機６１０または送信機６３０に組み込まれるかまたはそれと共有され得る。いくつかの例において、ワイヤレス通信マネージャ６２０は、リソースマネージャ６５０、アップリンクデータ優先度識別器６３５、メッセージタイプセレクタ６４０、または送信マネージャ６４５を含み得る。
【００８２】
[0099]  いくつかの例において、リソースマネージャ６５０は、基地局から、第１のタイプのスケジューリング要求をそれ上で送信すべき第１の物理リソースの第１の構成と、第２のタイプのスケジューリング要求をそれ上で送信すべき第２の物理リソースの第２の構成とを受信するために使用され得る。第１のタイプのスケジューリング要求は、共有無線周波数スペクトル帯域または専用無線周波数スペクトル帯域中のアップリンクリソースのためのものであり得、第２のタイプのスケジューリング要求は、専用無線周波数スペクトル帯域中のアップリンクリソースのためのものであり得る。いくつかの例において、第１の物理リソースは共有無線周波数スペクトル帯域中にあり得、第２の物理リソースは専用無線周波数スペクトル帯域中にあり得る。いくつかの例において、第１の物理リソースおよび第２の物理リソースは、ＰＵＣＣＨの別個の時間リソースと、周波数リソースと、コードリソースとを含み得る。
【００８３】
[0100]  他の例において、リソースマネージャ６５０は、基地局から、第３の物理リソース上で第１のタイプのスケジューリング要求または第２のタイプのスケジューリング要求を送信するための時間領域多重化構成の指示を受信するために使用され得る。いくつかの例において、第３の物理リソースは専用無線周波数スペクトル帯域中にあり得る。
【００８４】
[0101]  アップリンクデータ優先度識別器６３５は、アップリンクキャリア上で送信されるべきデータに関連する優先度パラメータを識別するために使用され得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。
【００８５】
[0102]  メッセージタイプセレクタ６４０はＳＲタイプセレクタ６５５を含み得る。ＳＲタイプセレクタ６５５は、識別された優先度パラメータに少なくとも部分的に基づいて、第１のタイプのスケジューリング要求または第２のタイプのスケジューリング要求の間での選択をするために使用され得る。
【００８６】
[0103]  送信マネージャ６４５はＳＲ送信マネージャ６６０を含み得る。いくつかの例において、ＳＲ送信マネージャ６６５は、第１のタイプのスケジューリング要求が選択されたとき、第１の物理リソースを使用して、第１のタイプのスケジューリング要求を送信するために、または第２のタイプのスケジューリング要求が選択されたとき、第２の物理リソースを使用して、第２のタイプのスケジューリング要求を送信するために使用され得る。他の例において、ＳＲ送信マネージャ６６５は、第３の物理リソースの時間領域多重化構成に従って、（例えば、第１のタイプのスケジューリング要求のための）第３の物理リソースの第１の発生(occurrence)または（例えば、第２のタイプのスケジューリング要求０のための第３の物理リソースの第２の発生を使用して、第１のタイプのスケジューリング要求または第２のタイプのスケジューリング要求を送信するために使用され得る。第１のタイプのスケジューリング要求または第２のタイプのスケジューリング要求は、基地局に送信され得る。
【００８７】
[0104]  図７は、本開示の様々な態様による、ワイヤレス通信において使用するための装置７１５のブロック図７００を示す。装置７１５は、図１、図２、図３、または図４を参照して説明されたＵＥ１１５、２１５、３１５、または４１５のうちの１つまたは複数の態様、あるいは図５を参照して説明された装置５１５の態様の一例であり得る。装置７１５はまた、プロセッサであるか、またはそれを含み得る。装置７１５は、受信機７１０、ワイヤレス通信マネージャ７２０、または送信機７３０を含み得る。これら構成要素の各々は、互いに通信していることがある。
【００８８】
[0105]  装置７１５の構成要素は、適用可能な機能の一部または全部をハードウェアで行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、ＳｏＣ、および／または他のタイプのセミカスタムＩＣ）が使用され得る。各構成要素の機能はまた、メモリ中に組み込まれ、１つまたは複数の汎用または特定用途向けプロセッサによって実行されるようにフォーマットされた命令を用いて、全体的にまたは部分的に、実施され得る。
【００８９】
[0106]  いくつかの例において、受信機７１０は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域）、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機のような、少なくとも１つのＲＦ受信機を含み得る。いくつかの例において、専用無線周波数スペクトル帯域または共有無線周波数スペクトル帯域は、例えば、図１、図２、図３、または図４を参照して説明されたように、ＬＴＥ／ＬＴＥ−Ａ通信のために使用され得る。受信機７１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機（例えば、専用ＲＦスペクトル帯域のためのＬＴＥ／ＬＴＥ−Ａ受信機７１２）、および共有無線周波数スペクトル帯域上で通信するためのＬＴＥ／ＬＴＥ−Ａ受信機（例えば、共有ＲＦスペクトル帯域のためのＬＴＥ／ＬＴＥ−Ａ受信機７１４）の形態をとり得る。専用ＲＦスペクトル帯域のためのＬＴＥ／ＬＴＥ−Ａ受信機７１２または共有ＲＦスペクトル帯域のためのＬＴＥ／ＬＴＥ−Ａ受信機７１４を含む受信機７１０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００９０】
[0107]  いくつかの例において、送信機７３０は、専用無線周波数スペクトル帯域または共有無線周波数スペクトル帯域上で送信するように動作可能な少なくとも１つのＲＦ送信機のような、少なくとも１つのＲＦ送信機を含み得る。送信機７３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機（例えば、専用ＲＦスペクトル帯域のためのＬＴＥ／ＬＴＥ−Ａ送信機７３２）、および共有無線周波数スペクトル帯域上で通信するためのＬＴＥ／ＬＴＥ−Ａ送信機（例えば、共有ＲＦスペクトル帯域のためのＬＴＥ／ＬＴＥ−Ａ送信機７３４）の形態をとり得る。専用ＲＦスペクトル帯域のためのＬＴＥ／ＬＴＥ−Ａ送信機７３２または共有ＲＦスペクトル帯域のためのＬＴＥ／ＬＴＥ−Ａ送信機７３４を含む送信機７３０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【００９１】
[0108]  いくつかの例において、ワイヤレス通信マネージャ７２０は、装置７１５のためのワイヤレス通信の１つまたは複数の態様を管理するために使用され得る。いくつかの例では、ワイヤレス通信マネージャ７２０の一部が、受信機７１０または送信機７３０に組み込まれるかまたはそれと共有され得る。いくつかの例において、ワイヤレス通信マネージャ７２０は、アップリンクデータ優先度識別器７３５、メッセージタイプセレクタ７４０、または送信マネージャ７４５を含み得る。
【００９２】
[0109]  アップリンクデータ優先度識別器７３５は、アップリンクキャリア上で送信されるべきデータに関連する優先度パラメータを識別するために使用され得る。いくつかの例において、データは、複数のバッファのうちの１つに（例えば、共有無線周波数スペクトル帯域または専用無線周波数スペクトル帯域中のアップリンクキャリア上で送信されるべきバッファされたデータを一時的に記憶する第１のバッファに、あるいは専用無線周波数スペクトル帯域中のアップリンクキャリア上で送信されるべきバッファされたデータを一時的に記憶する第２のバッファに）一時的に記憶され得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。
【００９３】
[0110]  メッセージタイプセレクタ７４０はＢＳＲパラメータセレクタ７５０を含み得る。ＢＳＲパラメータセレクタ７５０は、識別された優先度パラメータに少なくとも部分的に基づいて、共有無線周波数スペクトル帯域または専用無線周波数スペクトル帯域中のアップリンクキャリア上で送信されるべきバッファされたデータの第１のタイプの指示、あるいは専用無線周波数スペクトル帯域中のアップリンクキャリア上で送信されるべきバッファされたデータの第２のタイプの指示の間での選択をするために使用され得る。
【００９４】
[0111]  送信マネージャ７４５はＢＳＲ送信マネージャ７５５を含み得る。いくつかの例において、ＢＳＲ送信マネージャ７５５は、第１のＢＳＲ中で第１のタイプの指示または第２のタイプの指示を送信するために使用され得る。いくつかの例において、第１のＢＳＲは専用無線周波数スペクトル帯域中で送信され得る。いくつかの例において、第１のタイプの指示または第２のタイプの指示は、第１のＢＳＲのフィールドの状態または値（および時々単一のビットの状態（例えば、論理「１」または論理「０」））によって表され得る。他の例において、ＢＳＲ送信マネージャ７５５は、第２のＢＳＲ中で第１のタイプの指示を送信するか、または第３のＢＳＲ中で第２のタイプの指示を送信するために使用され得る。いくつかの例において、第２のＢＳＲまたは第３のＢＳＲは、専用無線周波数スペクトル帯域中で送信され得る。
【００９５】
[0112]  装置７１５のいくつかの例において、アップリンクキャリア上で送信されるべきデータは、論理チャネルグループに関連し得、第１のタイプの指示または第２のタイプの指示は、論理チャネルグループのために（例えば、ＢＳＲパラメータセレクタ７５０によって）選択され、（例えば、ＢＳＲ送信マネージャ７５５によって）送信され得る。いくつかの例では、第１のタイプの指示または第２のタイプの指示の事例が、アップリンクキャリア上で送信されるべきデータに関連する複数の論理チャネルグループの各々のために送信され得、第１のタイプの指示または第２のタイプの指示は、論理チャネルグループの各々のために選択され、同じＢＳＲ（またはＢＳＲの同じセット）を使用して送信される。
【００９６】
[0113]  いくつかの例において、ワイヤレス通信マネージャ７２０は再分類マネージャ７６０を含み得る。再分類マネージャ７６０は、タイマーの満了時に、アップリンクキャリア上で送信されるべきデータを再分類するために使用され得る。例えば、タイマーの満了時に、共有無線周波数スペクトル帯域または専用無線周波数スペクトル帯域中のアップリンクキャリア上で送信されるべきバッファされたデータが、専用無線周波数スペクトル帯域中のアップリンクキャリア上で送信されるべきバッファされたデータとして再分類され（例えば、第１のバッファから第２のバッファに移動され）得るか、あるいは、専用無線周波数スペクトル帯域中のアップリンクキャリア上で送信されるべきバッファされたデータが、共有無線周波数スペクトル帯域または専用無線周波数スペクトル帯域中のアップリンクキャリア上で送信されるべきバッファされたデータとして再分類され（例えば、第２のバッファから第１のバッファに移動され）得る。データを再分類することは、データが、共有無線周波数スペクトル帯域または専用無線周波数スペクトル帯域中の１つまたは複数のアップリンクキャリアのセット上に輻輳（または共有無線周波数スペクトル帯域中の１つまたは複数のアップリンクキャリアの場合、共有無線周波数スペクトル帯域へのアクセスを求める競合に負けることの結果としての１つまたは複数のアップリンクキャリアの利用不可能性）があるときに送信されることを可能にし得る。
【００９７】
[0114]  図８は、本開示の様々な態様による、ワイヤレス通信において使用するための装置８１５のブロック図８００を示す。装置８１５は、図１、図２、図３、または図４を参照して説明されたＵＥ１１５、２１５、３１５、または４１５のうちの１つまたは複数の態様の一例であり得る。装置８１５はまた、プロセッサであるか、またはそれを含み得る。装置８１５は、受信機８１０、ワイヤレス通信マネージャ８２０、または送信機８３０を含み得る。これら構成要素の各々は、互いに通信していることがある。
【００９８】
[0115]  装置８１５の構成要素は、適用可能な機能の一部または全部をハードウェアで行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、ＳｏＣ、および／または他のタイプのセミカスタムＩＣ）が使用され得る。各構成要素の機能はまた、メモリ中に組み込まれ、１つまたは複数の汎用または特定用途向けプロセッサによって実行されるようにフォーマットされた命令を用いて、全体的にまたは部分的に、実施され得る。
【００９９】
[0116]  いくつかの例において、受信機８１０は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域）、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機のような、少なくとも１つのＲＦ受信機を含み得る。いくつかの例において、専用無線周波数スペクトル帯域または共有無線周波数スペクトル帯域は、例えば、図１、図２、図３、または図４を参照して説明されたように、ＬＴＥ／ＬＴＥ−Ａ通信のために使用され得る。受信機８１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機（例えば、専用ＲＦスペクトル帯域のためのＬＴＥ／ＬＴＥ−Ａ受信機８１２）、および共有無線周波数スペクトル帯域上で通信するためのＬＴＥ／ＬＴＥ−Ａ受信機（例えば、共有ＲＦスペクトル帯域のためのＬＴＥ／ＬＴＥ−Ａ受信機８１４）の形態をとり得る。専用ＲＦスペクトル帯域のためのＬＴＥ／ＬＴＥ−Ａ受信機８１２または共有ＲＦスペクトル帯域のためのＬＴＥ／ＬＴＥ−Ａ受信機８１４を含む受信機８１０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を受信するために使用され得る。通信リンクは、専用無線周波数スペクトル帯域または共有無線周波数スペクトル帯域上で確立され得る。
【０１００】
[0117]  いくつかの例において、送信機８３０は、専用無線周波数スペクトル帯域または共有無線周波数スペクトル帯域上で送信するように動作可能な少なくとも１つのＲＦ送信機のような、少なくとも１つのＲＦ送信機を含み得る。送信機８３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機（例えば、専用ＲＦスペクトル帯域のためのＬＴＥ／ＬＴＥ−Ａ送信機８３２）、および共有無線周波数スペクトル帯域上で通信するためのＬＴＥ／ＬＴＥ−Ａ送信機（例えば、共有ＲＦスペクトル帯域のためのＬＴＥ／ＬＴＥ−Ａ送信機８３４）の形態をとり得る。専用ＲＦスペクトル帯域のためのＬＴＥ／ＬＴＥ−Ａ送信機８３２または共有ＲＦスペクトル帯域のためのＬＴＥ／ＬＴＥ−Ａ送信機８３４を含む送信機８３０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【０１０１】
[0118]  いくつかの例において、ワイヤレス通信マネージャ８２０は、装置８１５のためのワイヤレス通信の１つまたは複数の態様を管理するために使用され得る。いくつかの例では、ワイヤレス通信マネージャ８２０の一部が、受信機８１０または送信機８３０に組み込まれるかまたはそれと共有され得る。いくつかの例において、ワイヤレス通信マネージャ８２０は、ＰＢＲマネージャ８３５または論理チャネルデータ対アップリンク許可リソースマッパ（logical channel data to uplink grant resource mapper）８４０を含み得る。
【０１０２】
[0119]  ＰＢＲマネージャ８３５は、１つまたは複数の論理チャネルの各々のための第１のＰＢＲおよび第２のＰＢＲを維持するために使用され得る。第１のＰＢＲは、共有無線周波数スペクトル帯域または専用無線周波数スペクトル帯域中の送信に関連し得、第２のＰＢＲは、専用無線周波数スペクトル帯域中の送信に関連し得る。論理チャネルデータ対アップリンク許可リソースマッパ８４０は、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可のリソースにマッピングするために使用され得る。
【０１０３】
[0120]  図９は、本開示の様々な態様による、ワイヤレス通信において使用するための装置９１５のブロック図９００を示す。装置９１５は、図１、図２、図３、または図４を参照して説明されたＵＥ１１５、２１５、３１５、または４１５のうちの１つまたは複数の態様、あるいは図５を参照して説明された装置５１５の態様の一例であり得る。装置９１５はまた、プロセッサであるか、またはそれを含み得る。装置９１５は、受信機９１０、ワイヤレス通信マネージャ９２０、または送信機９３０を含み得る。これら構成要素の各々は、互いに通信していることがある。
【０１０４】
[0121]  装置９１５の構成要素は、適用可能な機能の一部または全部をハードウェアで行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、ＳｏＣ、および／または他のタイプのセミカスタムＩＣ）が使用され得る。各構成要素の機能はまた、メモリ中に組み込まれ、１つまたは複数の汎用または特定用途向けプロセッサによって実行されるようにフォーマットされた命令を用いて、全体的にまたは部分的に、実施され得る。
【０１０５】
[0122]  いくつかの例において、受信機９１０は、専用無線周波数スペクトル帯域（例えば、無線周波数スペクトル帯域が、特定の使用のために特定のユーザに認可されているので、送信装置がそれに対してアクセスを求めて競合しないことがある、無線周波数スペクトル帯域）、または共有無線周波数スペクトル帯域（例えば、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機のような、少なくとも１つのＲＦ受信機を含み得る。いくつかの例において、専用無線周波数スペクトル帯域または共有無線周波数スペクトル帯域は、例えば、図１、図２、図３、または図４を参照して説明されたように、ＬＴＥ／ＬＴＥ−Ａ通信のために使用され得る。受信機９１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機（例えば、専用ＲＦスペクトル帯域のためのＬＴＥ／ＬＴＥ−Ａ受信機９１２）、および共有無線周波数スペクトル帯域上で通信するためのＬＴＥ／ＬＴＥ−Ａ受信機（例えば、共有ＲＦスペクトル帯域のためのＬＴＥ／ＬＴＥ−Ａ受信機９１４）の形態をとり得る。専用ＲＦスペクトル帯域のためのＬＴＥ／ＬＴＥ−Ａ受信機９１２または共有ＲＦスペクトル帯域のためのＬＴＥ／ＬＴＥ−Ａ受信機９１４を含む受信機９１０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を受信するために使用され得る。通信リンクは、専用無線周波数スペクトル帯域または共有無線周波数スペクトル帯域上で確立され得る。
【０１０６】
[0123]  いくつかの例において、送信機９３０は、専用無線周波数スペクトル帯域または共有無線周波数スペクトル帯域上で送信するように動作可能な少なくとも１つのＲＦ送信機のような、少なくとも１つのＲＦ送信機を含み得る。送信機９３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機（例えば、専用ＲＦスペクトル帯域のためのＬＴＥ／ＬＴＥ−Ａ送信機９３２）、および共有無線周波数スペクトル帯域上で通信するためのＬＴＥ／ＬＴＥ−Ａ送信機（例えば、共有ＲＦスペクトル帯域のためのＬＴＥ／ＬＴＥ−Ａ送信機９３４）の形態をとり得る。専用ＲＦスペクトル帯域のためのＬＴＥ／ＬＴＥ−Ａ送信機９３２または共有ＲＦスペクトル帯域のためのＬＴＥ／ＬＴＥ−Ａ送信機９３４を含む送信機９３０は、図１または図２を参照して説明されたワイヤレス通信システム１００または２００の１つまたは複数の通信リンクのような、ワイヤレス通信システムの１つまたは複数の通信リンク上で様々なタイプのデータまたは制御信号（すなわち、「データ」または送信）を送信するために使用され得る。通信リンクは、専用無線周波数スペクトル帯域または共有無線周波数スペクトル帯域上で確立され得る。
【０１０７】
[0124]  いくつかの例において、ワイヤレス通信マネージャ９２０は、装置９１５のためのワイヤレス通信の１つまたは複数の態様を管理するために使用され得る。いくつかの例では、ワイヤレス通信マネージャ９２０の一部が、受信機９１０または送信機９３０に組み込まれるかまたはそれと共有され得る。いくつかの例において、ワイヤレス通信マネージャ９２０は、アップリンクキャリアマネージャ９３５、ＰＢＲマネージャ９４０、アップリンク許可マネージャ９４５、または論理チャネルデータ対アップリンク許可リソースマッパ９５０を含み得る。
【０１０８】
[0125]  アップリンクキャリアマネージャ９３５は、専用無線周波数スペクトル帯域中の第１のアップリンクキャリアおよび共有無線周波数スペクトル帯域中の第２のアップリンクキャリア上で通信するために使用され得る。ＰＢＲマネージャ９４０は、複数の論理チャネルの公称スケジューリング優先度を決定するために、複数の論理チャネルの各々のためのＰＢＲ（例えば、共有無線周波数スペクトル帯域および専用無線周波数スペクトル帯域中の送信のための単一のＰＢＲ）を維持するために使用され得る。アップリンク許可マネージャ９４５は、専用無線周波数スペクトル帯域中の第１のアップリンクキャリアのためのアップリンク許可を受信するために使用され得る。論理チャネルデータ対アップリンク許可リソースマッパ９５０は、公称スケジューリング優先度とは無関係に適用される論理チャネル優先度に従って、複数の論理チャネルのうちの論理チャネルに関連するデータの少なくとも一部分を、アップリンク許可のリソースにマッピングするために使用され得る。いくつかの例において、論理チャネルに関連するデータの少なくとも一部分は、上位レイヤ再送信、上位レイヤ制御情報、またはＴＣＰ  ＡＣＫのうちの少なくとも１つを含み得る。
【０１０９】
[0126]  図１０は、本開示の様々な態様による、ワイヤレス通信において使用するためのＵＥ１０１５のブロック図１０００を示す。ＵＥ１０１５は、パーソナルコンピュータ（例えば、ラップトップコンピュータ、ネットブックコンピュータ、タブレットコンピュータなど）、セルラー電話、ＰＤＡ、ＤＶＲ、インターネット機器、ゲームコンソール、電子リーダーなど含まれるかまたはそれらの一部であり得る。ＵＥ１０１５は、いくつかの例において、モバイル動作を容易にするために、小型バッテリーのような内部電源（図示せず）を有し得る。いくつかの例において、ＵＥ１０１５は、図１、図２、図３、または図４を参照して説明されたＵＥ１１５、２１５、３１５、または４１５のうちの１つまたは複数の態様、あるいは図５、図６、図７、図８、または図９を参照して説明された装置５１５、６１５、７１５、８１５、または９１５のうちの１つまたは複数の態様の一例であり得る。ＵＥ１０１５は、図１、図２、図３、図４、図５、図６、図７、図８、または図９を参照して説明されたＵＥまたは装置の技法および機能のうちの少なくともいくつかを実施するように構成され得る。
【０１１０】
[0127]  ＵＥ１０１５は、ＵＥプロセッサ１０１０、ＵＥメモリ１０２０、（（１つまたは複数の）ＵＥトランシーバ１０３０によって表される）少なくとも１つのＵＥトランシーバ、（（１つまたは複数の）ＵＥアンテナ１０４０によって表される）少なくとも１つのＵＥアンテナ、またはＵＥワイヤレス通信マネージャ１０５０を含み得る。これら構成要素の各々は、１つまたは複数のバス１０３５上で、直接または間接的に、互いに通信していることがある。
【０１１１】
[0128]  ＵＥメモリ１０２０は、ランダムアクセスメモリ（ＲＡＭ）または読取り専用メモリ（ＲＯＭ）を含み得る。ＵＥメモリ１０２０は、実行されたとき、例えば、異なるタイプのスケジューリング要求またはバッファステータス報告を送信すること、あるいは、論理チャネルに関連するデータを、１つまたは複数のアップリンク許可のリソースにマッピングすることを含む、ワイヤレス通信に関係する本明細書で説明される様々な機能をＵＥプロセッサ１０１０に行わせるように構成された命令を含んでいるコンピュータ可読、コンピュータ実行可能コード１０２５を記憶し得る。代替的に、コンピュータ実行可能コード１０２５は、ＵＥプロセッサ１０１０によって直接的に実行可能でないが、（例えば、コンパイルされ、実行されたとき）本明細書で説明される機能のうちのいくつかをＵＥ１０１５に行わせるように構成され得る。
【０１１２】
[0129]  ＵＥプロセッサ１０１０は、インテリジェントハードウェアデバイス、例えば、中央処理ユニット（ＣＰＵ）、マイクロコントローラ、ＡＳＩＣなどを含み得る。ＵＥプロセッサ１０１０は、（１つまたは複数の）ＵＥトランシーバ１０３０を通して受信された情報、または（１つまたは複数の）ＵＥアンテナ１０４０を通した送信のために（１つまたは複数の）ＵＥトランシーバ１０３０に送られるべき情報を処理し得る。ＵＥプロセッサ１０１０は、単独で、または、ＵＥワイヤレス通信マネージャ１０５０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１３】
[0130]  （１つまたは複数の）ＵＥトランシーバ１０３０は、パケットを変調し、変調されたパケットを送信のために（１つまたは複数の）ＵＥアンテナ１０４０に与え、（１つまたは複数の）ＵＥアンテナ１０４０から受信されたパケットを復調するように構成されたモデムを含み得る。（１つまたは複数の）ＵＥトランシーバ１０３０は、いくつかの例において、１つまたは複数のＵＥ送信機および１つまたは複数の別個のＵＥ受信機として実施され得る。（１つまたは複数の）ＵＥトランシーバ１０３０は、専用無線周波数スペクトル帯域または共有無線周波数スペクトル帯域中の通信をサポートし得る。（１つまたは複数の）ＵＥトランシーバ１０３０は、（１つまたは複数の）ＵＥアンテナ１０４０を介して、図１、図２、図３、または図４を参照して説明された基地局１０５、２０５、３０５、または４０５のうちの１つまたは複数と双方向に通信するように構成され得る。ＵＥ１０１５は単一のＵＥアンテナを含み得るが、ＵＥ１０１５が複数のＵＥアンテナ１０４０を含み得る例があり得る。
【０１１４】
[0131]  ＵＥワイヤレス通信マネージャ１０５０は、専用無線周波数スペクトル帯域または共有無線周波数スペクトル帯域上でのワイヤレス通信に関係する図１、図２、図３、図４、図５、図６、図７、図８、または図９を参照して説明されたＵＥまたは装置の技法または機能の一部または全部を行うまたは制御するように構成され得る。例えば、ＵＥワイヤレス通信マネージャ１０５０は、専用無線周波数スペクトル帯域または共有無線周波数スペクトル帯域を使用して、補助ダウンリンクモード（例えば、認可支援アクセスモード(licensed assisted access mode)）、キャリアアグリゲーションモード、またはスタンドアロンモードをサポートするように構成され得る。ＵＥワイヤレス通信マネージャ１０５０は、専用無線周波数スペクトル帯域中のＬＴＥ／ＬＴＥ−Ａ通信を扱うように構成された、専用ＲＦスペクトル帯域のためのＵＥ  ＬＴＥ／ＬＴＥ−Ａ構成要素１０５５と、共有無線周波数スペクトル帯域中のＬＴＥ／ＬＴＥ−Ａ通信を扱うように構成された、共有ＲＦスペクトル帯域のためのＵＥ  ＬＴＥ／ＬＴＥ−Ａ構成要素１０６０とを含み得る。ＵＥワイヤレス通信マネージャ１０５０、またはそれの部分はプロセッサを含み得、あるいはＵＥワイヤレス通信マネージャ１０５０の機能の一部または全部は、ＵＥプロセッサ１０１０によって行われるか、またはＵＥプロセッサ１０１０とともに行われ得る。いくつかの例において、ＵＥワイヤレス通信マネージャ１０５０は、図５、図６、図７、図８、または図９を参照して説明されたワイヤレス通信マネージャ５２０、６２０、７２０、８２０、または９２０の一例であり得る。
【０１１５】
[0132]  図１１は、本開示の態様による、ワイヤレス通信において使用するための基地局１１０５（例えば、ｅＮＢの一部または全部を形成する基地局）のブロック図１１００を示す。いくつかの例において、基地局１１０５は、図１、図２、図３、または図４を参照して説明された基地局１０５、２０５、３０５、または４０５のうちの１つまたは複数の態様の一例であり得る。基地局１１０５は、図１、図２、図３、または図４を参照して説明された基地局の技法および機能のうちの少なくともいくつかを実施するかまたは容易にするように構成され得る。
【０１１６】
[0133]  基地局１１０５は、基地局プロセッサ１１１０、基地局メモリ１１２０、（（１つまたは複数の）基地局トランシーバ１１５０によって表される）少なくとも１つの基地局トランシーバ、（（１つまたは複数の）基地局アンテナ１１５５によって表される）少なくとも１つの基地局アンテナ、または基地局ワイヤレス通信マネージャ１１６０を含み得る。基地局１１０５はまた、基地局コミュニケータ１１３０またはネットワークコミュニケータ１１４０のうちの１つまたは複数を含み得る。これら構成要素の各々は、１つまたは複数のバス１１３５上で、直接または間接的に、互いに通信していることがある。
【０１１７】
[0134]  基地局メモリ１１２０はＲＡＭまたはＲＯＭを含み得る。基地局メモリ１１２０は、実行されたとき、例えば、異なるタイプのスケジューリング要求またはバッファステータス報告をＵＥから受信することと、共有無線周波数スペクトル帯域または専用無線周波数スペクトル帯域中の１つまたは複数のアップリンクキャリア上でアップリンク送信のための第１のタイプのアップリンク許可を、または専用無線周波数スペクトル帯域中の１つまたは複数のアップリンクキャリア上でアップリンク送信のための第２のタイプのアップリンク許可を送信することとを含む、ワイヤレス通信に関係する本明細書で説明される様々な機能を基地局プロセッサ１１１０に行わせるように構成された命令を含んでいるコンピュータ可読、コンピュータ実行可能コード１１２５を記憶し得る。代替的に、コンピュータ実行可能コード１１２５は、基地局プロセッサ１１１０によって直接的に実行可能でないが、（例えば、コンパイルされ、実行されたとき）本明細書で説明される機能のうちのいくつかを基地局１１０５に行わせるように構成され得る。
【０１１８】
[0135]  基地局プロセッサ１１１０は、インテリジェントハードウェアデバイス、例えば、ＣＰＵ、マイクロコントローラ、ＡＳＩＣなどを含み得る。基地局プロセッサ１１１０は、（１つまたは複数の）基地局トランシーバ１１５０、基地局コミュニケータ１１３０、またはネットワークコミュニケータ１１４０を通して受信された情報を処理し得る。基地局プロセッサ１１１０はまた、（１つまたは複数の）アンテナ１１５５を通した送信のために（１つまたは複数の）トランシーバ１１５０に送られるべき情報、１つまたは複数の他の基地局（例えば、基地局１１０５−ａおよび基地局１１０５−ｂ）への送信のために基地局コミュニケータ１１３０に送られるべき情報、または図１を参照して説明されたコアネットワーク１３０の１つまたは複数の態様の一例であり得る、コアネットワーク１１４５への送信のためにネットワークコミュニケータ１１４０に送られるべき情報を処理し得る。基地局プロセッサ１１１０は、単独で、または、基地局ワイヤレス通信マネージャ１１６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１９】
[0136]  （１つまたは複数の）基地局トランシーバ１１５０は、パケットを変調し、変調されたパケットを送信のために（１つまたは複数の）基地局アンテナ１１５５に与え、（１つまたは複数の）基地局アンテナ１１５５から受信されたパケットを復調するように構成されたモデムを含み得る。（１つまたは複数の）基地局トランシーバ１１５０は、いくつかの例において、１つまたは複数の基地局送信機および１つまたは複数の別個の基地局受信機として実施され得る。（１つまたは複数の）基地局トランシーバ１１５０は、専用無線周波数スペクトル帯域または共有無線周波数スペクトル帯域中の通信をサポートし得る。（１つまたは複数の）基地局トランシーバ１１５０は、（１つまたは複数の）アンテナ１１５５を介して、図１、図２、図３、図４、または図１０を参照して説明されたＵＥ１１５、２１５、３１５、４１５、または１０１５のうちの１つまたは複数、あるいは図５、図６、図７、図８、または図９を参照して説明された装置５１５、６１５、７１５、８１５、または９１５のうちの１つまたは複数のような、１つまたは複数のＵＥまたは装置と双方向に通信するように構成され得る。基地局１１０５は、例えば、複数の基地局アンテナ１１５５（例えば、アンテナアレイ）を含み得る。基地局１１０５は、ネットワークコミュニケータ１１４０を通してコアネットワーク１１４５と通信し得る。基地局１１０５はまた、基地局コミュニケータ１１３０を使用して、基地局１１０５−ａおよび基地局１１０５−ｂのような、他の基地局と通信し得る。
【０１２０】
[0137]  基地局ワイヤレス通信マネージャ１１６０は、専用無線周波数スペクトル帯域または共有無線周波数スペクトル帯域上でのワイヤレス通信に関係する図１、図２、図３、または図４を参照して説明された技法または機能の一部または全部を行うまたは制御するように構成され得る。例えば、基地局ワイヤレス通信マネージャ１１６０は、専用無線周波数スペクトル帯域または共有無線周波数スペクトル帯域を使用して、補助ダウンリンクモード（例えば、認可支援アクセスモード）、キャリアアグリゲーションモード、またはスタンドアロンモードをサポートするように構成され得る。基地局ワイヤレス通信マネージャ１１６０は、専用無線周波数スペクトル帯域中のＬＴＥ／ＬＴＥ−Ａ通信を扱うように構成された、専用ＲＦスペクトル帯域のための基地局ＬＴＥ／ＬＴＥ−Ａ構成要素１１６５と、共有無線周波数スペクトル帯域中のＬＴＥ／ＬＴＥ−Ａ通信を扱うように構成された、共有ＲＦスペクトル帯域のための基地局ＬＴＥ／ＬＴＥ−Ａ構成要素１１７０とを含み得る。基地局ワイヤレス通信マネージャ１１６０、またはそれの部分はプロセッサを含み得、あるいは基地局ワイヤレス通信マネージャ１１６０の機能の一部または全部は、基地局プロセッサ１１１０によって行われるか、または基地局プロセッサ１１１０とともに行われ得る。
【０１２１】
[0138]  図１２は、本開示の様々な態様による、ＵＥにおけるワイヤレス通信のための方法１２００の一例を示すフローチャートである。明確さのために、方法１２００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１２２】
[0139]  ブロック１２０５で、方法１２００は、アップリンクキャリア上で送信されるべきデータに関連する優先度パラメータを識別することを含み得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。ブロック１２０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたアップリンクデータ優先度識別器５３５、６３５、または７３５を使用して行われ得る。
【０１２３】
[0140]  ブロック１２１０で、方法１２００は、識別された優先度パラメータに少なくとも部分的に基づいて、共有無線周波数スペクトル帯域または専用無線周波数スペクトル帯域中のアップリンクリソースを要求するための第１のタイプのメッセージ、あるいは専用無線周波数スペクトル帯域中のアップリンクリソースを要求するための得る第２のタイプのメッセージの間での選択をすることを含み得る。いくつかの例において、第１のタイプのメッセージは、共有無線周波数スペクトル帯域または専用無線周波数スペクトル帯域中のアップリンクリソースのための第１のタイプのスケジューリング要求を含み得、第２のタイプのメッセージは、専用無線周波数スペクトル帯域中のアップリンクリソースのための第２のタイプのスケジューリング要求を含み得る。いくつかの例において、第１のタイプのメッセージは、共有無線周波数スペクトル帯域または専用無線周波数スペクトル帯域中のアップリンクキャリア上で送信されるべきバッファされたデータの第１のタイプの指示を含み得、第２のタイプのメッセージは、専用無線周波数スペクトル帯域中のアップリンクキャリア上で送信されるべきバッファされたデータの第２のタイプの指示を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。ブロック１２１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたメッセージタイプセレクタ５４０、６４０、または７４０を使用して行われ得る。
【０１２４】
[0141]  ブロック１２１５で、方法１２００は、（例えば、基地局に）選択されたタイプのメッセージを送信することを含み得る。ブロック１２１５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明された送信マネージャ５４５、６４５、または７４５を使用して行われ得る。
【０１２５】
[0142]  従って、方法１２００はワイヤレス通信を提供し得る。方法１２００は一実施形態にすぎないこと、および方法１２００の動作は、他の実施形態が可能であるように、並べ替えられるかまたは場合によっては変更され(modified)得ることに留意されたい。
【０１２６】
[0143]  図１３は、本開示の様々な態様による、ＵＥにおけるワイヤレス通信のための方法１３００の一例を示すフローチャートである。明確さのために、方法１３００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１２７】
[0144]  ブロック１３０５で、方法１３００は、基地局から、第１のタイプのスケジューリング要求をそれ上で送信すべき第１の物理リソースの第１の構成と、第２のタイプのスケジューリング要求をそれ上で送信すべき第２の物理リソースの第２の構成とを受信することを含み得る。第１のタイプのスケジューリング要求は、共有無線周波数スペクトル帯域または専用無線周波数スペクトル帯域中のアップリンクリソースのためのものであり得、第２のタイプのスケジューリング要求は、専用無線周波数スペクトル帯域中のアップリンクリソースのためのものであり得る。いくつかの例において、第１の物理リソースは共有無線周波数スペクトル帯域中にあり得、第２の物理リソースは専用無線周波数スペクトル帯域中にあり得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。いくつかの例において、第１の物理リソースおよび第２の物理リソースは、物理アップリンク制御チャネル（ＰＵＣＣＨ）の別個の時間リソースと、周波数リソースと、コードリソースとを含み得る。ブロック１３０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図６を参照して説明されたリソースマネージャ６５０を使用して行われ得る。
【０１２８】
[0145]  ブロック１３１０で、方法１３００は、アップリンクキャリア上で送信されるべきデータに関連する優先度パラメータを識別することを含み得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。ブロック１３１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたアップリンクデータ優先度識別器５３５、６３５、または７３５を使用して行われ得る。
【０１２９】
[0146]  ブロック１３１５で、方法１３００は、識別された優先度パラメータに少なくとも部分的に基づいて、第１のタイプのスケジューリング要求または第２のタイプのスケジューリング要求の間での選択をすることを含み得る。第１のタイプのスケジューリング要求が選択されたとき、方法１３００はブロック１３２０で継続し得る。第２のタイプのスケジューリング要求が選択されたとき、方法１３００はブロック１３２５で継続し得る。ブロック１３１５での（１つまたは複数の）動作は、図１０を参照して説明されたワイヤレス通信マネージャ５２０、６２０、７２０、８２０、または９２０、またはＵＥワイヤレス通信マネージャ１０５０、図５、図６、または図７を参照して説明されたメッセージタイプセレクタ５４０、６４０、または７４０、あるいは図６を参照して説明されたＳＲタイプセレクタ６５５を使用して行われ得る。
【０１３０】
[0147]  ブロック１３２０で、方法１３００は、第１の物理リソースを使用して（例えば、基地局に）第１のタイプのスケジューリング要求を送信することを含み得る。ブロック１３２５で、方法１３００は、第２の物理リソースを使用して（例えば、基地局に）第２のタイプのスケジューリング要求を送信することを含み得る。ブロック１３２０または１３２５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明された送信マネージャ５４５、６４５、または７４５、あるいは図６を参照して説明されたＳＲ送信マネージャ６６０を使用して行われ得る。
【０１３１】
[0148]  従って、方法１３００はワイヤレス通信を提供し得る。方法１３００は一実施形態にすぎないこと、および方法１３００の動作は、他の実施形態が可能であるように、並べ替えられるかまたは場合によっては変更され得ることに留意されたい。
【０１３２】
[0149]  図１４は、本開示の様々な態様による、ＵＥにおけるワイヤレス通信のための方法１４００の一例を示すフローチャートである。明確さのために、方法１４００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１３３】
[0150]  ブロック１４０５で、方法１４００は、基地局から、物理リソース上で第１のタイプのスケジューリング要求または第２のタイプのスケジューリング要求を送信するための時間領域多重化構成の指示を受信することを含み得る。第１のタイプのスケジューリング要求は、共有無線周波数スペクトル帯域または専用無線周波数スペクトル帯域中のアップリンクリソースのためのものであり得、第２のタイプのスケジューリング要求は、専用無線周波数スペクトル帯域中のアップリンクリソースのためのものであり得る。いくつかの例において、物理リソースは専用無線周波数スペクトル帯域中にあり得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。ブロック１４０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図６を参照して説明されたリソースマネージャ６５０を使用して行われ得る。
【０１３４】
[0151]  ブロック１４１０で、方法１４００は、アップリンクキャリア上で送信されるべきデータに関連する優先度パラメータを識別することを含み得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。ブロック１４１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたアップリンクデータ優先度識別器５３５、６３５、または７３５を使用して行われ得る。
【０１３５】
[0152]  ブロック１４１５で、方法１４００は、識別された優先度パラメータに少なくとも部分的に基づいて、第１のタイプのスケジューリング要求または第２のタイプのスケジューリング要求の間での選択をすることを含み得る。第１のタイプのスケジューリング要求が選択されたとき、方法１４００はブロック１４２０で継続し得る。第２のタイプのスケジューリング要求が選択されたとき、方法１４００はブロック１４２５で継続し得る。ブロック１４１５での（１つまたは複数の）動作は、図１０を参照して説明されたワイヤレス通信マネージャ５２０、６２０、７２０、８２０、または９２０、またはＵＥワイヤレス通信マネージャ１０５０、図５、図６、または図７を参照して説明されたメッセージタイプセレクタ５４０、６４０、または７４０、あるいは図６を参照して説明されたＳＲタイプセレクタ６５５を使用して行われ得る。
【０１３６】
[0153]  ブロック１４２０または１４２５で、方法１４００は、物理リソースを使用して（例えば、基地局に）第１のタイプのスケジューリング要求または第２のタイプのスケジューリング要求を送信することを含み得る。ブロック１４２０で、第１のタイプのスケジューリング要求は、物理リソースの時間領域多重化構成に従って、物理リソースの第１の発生を使用して送信され得る。ブロック１４２５で、第２のタイプのスケジューリング要求は、物理リソースの時間領域多重化構成に従って、物理リソースの第２の発生を使用して送信され得る。ブロック１４２０または１４２５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明された送信マネージャ５４５、６４５、または７４５、あるいは図６を参照して説明されたＳＲ送信マネージャ６６０を使用して行われ得る。
【０１３７】
[0154]  従って、方法１４００はワイヤレス通信を提供し得る。方法１４００は一実施形態にすぎないこと、および方法１４００の動作は、他の実施形態が可能であるように、並べ替えられるかまたは場合によっては変更され得ることに留意されたい。
【０１３８】
[0155]  図１５は、本開示の様々な態様による、ＵＥにおけるワイヤレス通信のための方法１５００の一例を示すフローチャートである。明確さのために、方法１５００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１３９】
[0156]  ブロック１５０５で、方法１５００は、アップリンクキャリア上で送信されるべきデータに関連する優先度パラメータを識別することを含み得る。いくつかの例において、データは、複数のバッファのうちの１つに（例えば、共有無線周波数スペクトル帯域または専用無線周波数スペクトル帯域中のアップリンクキャリア上で送信されるべきバッファされたデータを一時的に記憶する第１のバッファに、あるいは専用無線周波数スペクトル帯域中のアップリンクキャリア上で送信されるべきバッファされたデータを一時的に記憶する第２のバッファに）一時的に記憶され得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。ブロック１５０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたアップリンクデータ優先度識別器５３５、６３５、または７３５を使用して行われ得る。
【０１４０】
[0157]  ブロック１５１０で、方法１５００は、識別された優先度パラメータに少なくとも部分的に基づいて、共有無線周波数スペクトル帯域または専用無線周波数スペクトル帯域中のアップリンクキャリア上で送信されるべきバッファされたデータの第１のタイプの指示、あるいは専用無線周波数スペクトル帯域中のアップリンクキャリア上で送信されるべきバッファされたデータの第２のタイプの指示の間での選択をすることを含み得る。第１のタイプの指示が選択されたとき、方法１５００はブロック１５１５で継続し得る。第２のタイプの指示が選択されたとき、方法１５００はブロック１５２０で継続し得る。ブロック１５１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明されたメッセージタイプセレクタ５４０、６４０、または７４０、あるいは図７を参照して説明されたＢＳＲパラメータセレクタ７５０を使用して行われ得る。
【０１４１】
[0158]  ブロック１５１５で、方法１５００は、ＢＳＲ中で（例えば、基地局に）第１のタイプの指示を送信することを含み得る。ブロック１５２０で、方法１５００は、ＢＳＲ中で（例えば、基地局に）第２のタイプの指示を送信することを含み得る。いくつかの例において、第１のタイプの指示または第２のタイプの指示は、第１のＢＳＲのフィールドの状態または値（および時には単一のビットの状態（例えば、論理「１」または論理「０」））によって表され得る。いくつかの例において、ＢＳＲは専用無線周波数スペクトル帯域中で送信され得る。ブロック１５１５または１５２０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明された送信マネージャ５４５、６４５、または７４５、あるいは図７を参照して説明されたＢＳＲ送信マネージャ７５５を使用して行われ得る。
【０１４２】
[0159]  方法１５００のいくつかの例において、アップリンクキャリア上で送信されるべきデータは、論理チャネルグループに関連し得、第１のタイプの指示または第２のタイプの指示は、論理チャネルグループのために選択され、送信され得る。いくつかの例において、方法１５００は、アップリンクキャリア上で送信されるべきデータに関連する複数の論理チャネルグループの各々のために繰り返され得、第１のタイプの指示または第２のタイプの指示は、論理チャネルグループの各々のために選択され、同じＢＳＲを使用して送信される。
【０１４３】
[0160]  いくつかの例において、方法１５００は、タイマーの満了時に、アップリンクキャリア上で送信されるべきデータを再分類することを含み得る。例えば、タイマーの満了時に、共有無線周波数スペクトル帯域または専用無線周波数スペクトル帯域中のアップリンクキャリア上で送信されるべきバッファされたデータが、専用無線周波数スペクトル帯域中のアップリンクキャリア上で送信されるべきバッファされたデータとして再分類され（例えば、第１のバッファから第２のバッファに移動され）得るか、あるいは、専用無線周波数スペクトル帯域中のアップリンクキャリア上で送信されるべきバッファされたデータが、共有無線周波数スペクトル帯域または専用無線周波数スペクトル帯域中のアップリンクキャリア上で送信されるべきバッファされたデータとして再分類され（例えば、第２のバッファから第１のバッファに移動され）得る。データを再分類することは、データが、共有無線周波数スペクトル帯域または専用無線周波数スペクトル帯域中の１つまたは複数のアップリンクキャリアのセット上に輻輳（または共有無線周波数スペクトル帯域中の１つまたは複数のアップリンクキャリアの場合、共有無線周波数スペクトル帯域へのアクセスを求める競合に負けることの結果としての１つまたは複数のアップリンクキャリアの利用不可能性）があるときに送信されることを可能にし得る。
【０１４４】
[0161]  従って、方法１５００はワイヤレス通信を提供し得る。方法１５００は一実施形態にすぎないこと、および方法１５００の動作は、他の実施形態が可能であるように、並べ替えられるかまたは場合によっては変更され得ることに留意されたい。
【０１４５】
[0162]  図１６は、本開示の様々な態様による、ＵＥにおけるワイヤレス通信のための方法１６００の一例を示すフローチャートである。明確さのために、方法１６００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１４６】
[0163]  ブロック１６０５で、方法１６００は、アップリンクキャリア上で送信されるべきデータに関連する優先度パラメータを識別することを含み得る。いくつかの例において、データは、複数のバッファのうちの１つに（例えば、共有無線周波数スペクトル帯域または専用無線周波数スペクトル帯域中のアップリンクキャリア上で送信されるべきバッファされたデータを一時的に記憶する第１のバッファに、あるいは専用無線周波数スペクトル帯域中のアップリンクキャリア上で送信されるべきバッファされたデータを一時的に記憶する第２のバッファに）一時的に記憶され得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。いくつかの例において、優先度パラメータは、ＱｏＳパラメータ、データがＭＡＣレイヤ制御情報を備えるかどうかの第１の指示、データが上位レイヤ制御情報を備えるかどうかの第２の指示、データがＴＣＰ  ＡＣＫを備えるという第３の指示、データが高優先度論理チャネルのためのものであるという第４の指示、またはデータが上位レイヤ再送信のためのものであるという第５の指示のうちの少なくとも１つを含み得る。ブロック１６０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図５、図６、または図７を参照して説明されたアップリンクデータ優先度識別器５３５、６３５、または７３５を使用して行われ得る。
【０１４７】
[0164]  ブロック１６１０で、方法１６００は、識別された優先度パラメータに少なくとも部分的に基づいて、共有無線周波数スペクトル帯域または専用無線周波数スペクトル帯域中のアップリンクキャリア上で送信されるべきバッファされたデータの第１のタイプの指示、あるいは専用無線周波数スペクトル帯域中のアップリンクキャリア上で送信されるべきバッファされたデータの第２のタイプの指示の間での選択をすることを含み得る。第１のタイプの指示が選択されたとき、方法１６００はブロック１６１５で継続し得る。第２のタイプの指示が選択されたとき、方法１６００はブロック１６２０で継続し得る。ブロック１６１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明されたメッセージタイプセレクタ５４０、６４０、または７４０、あるいは図７を参照して説明されたＢＳＲパラメータセレクタ７５０を使用して行われ得る。
【０１４８】
[0165]  ブロック１６１５で、方法１６００は、第１のＢＳＲ中で（例えば、基地局に）第１のタイプの指示を送信することを含み得る。ブロック１６２０で、方法１６００は、第２のＢＳＲ中で（例えば、基地局に）第２のタイプの指示を送信することを含み得る。いくつかの例において、第１のＢＳＲまたは第２のＢＳＲは、専用無線周波数スペクトル帯域中で送信され得る。ブロック１６１５または１６２０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、図５、図６、または図７を参照して説明された送信マネージャ５４５、６４５、または７４５、あるいは図７を参照して説明されたＢＳＲ送信マネージャ７５５を使用して行われ得る。
【０１４９】
[0166]  方法１６００のいくつかの例において、アップリンクキャリア上で送信されるべきデータは、論理チャネルグループに関連し得、第１のタイプの指示または第２のタイプの指示は、論理チャネルグループのために選択され、送信され得る。いくつかの例において、方法１６００は、アップリンクキャリア上で送信されるべきデータに関連する複数の論理チャネルグループの各々のために繰り返され得、第１のタイプの指示または第２のタイプの指示は、論理チャネルグループの各々のために選択され、ＢＳＲの同じセットを使用して送信される。
【０１５０】
[0167]  いくつかの例において、方法１６００は、タイマーの満了時に、アップリンクキャリア上で送信されるべきデータを再分類することを含み得る。例えば、タイマーの満了時に、共有無線周波数スペクトル帯域または専用無線周波数スペクトル帯域中のアップリンクキャリア上で送信されるべきバッファされたデータが、専用無線周波数スペクトル帯域中のアップリンクキャリア上で送信されるべきバッファされたデータとして再分類され（例えば、第１のバッファから第２のバッファに移動され）得るか、あるいは、専用無線周波数スペクトル帯域中のアップリンクキャリア上で送信されるべきバッファされたデータが、共有無線周波数スペクトル帯域または専用無線周波数スペクトル帯域中のアップリンクキャリア上で送信されるべきバッファされたデータとして再分類され（例えば、第２のバッファから第１のバッファに移動され）得る。データを再分類することは、データが、共有無線周波数スペクトル帯域または専用無線周波数スペクトル帯域中の１つまたは複数のアップリンクキャリアのセット上に輻輳（または共有無線周波数スペクトル帯域中の１つまたは複数のアップリンクキャリアの場合、共有無線周波数スペクトル帯域へのアクセスを求める競合に負けることの結果としての１つまたは複数のアップリンクキャリアの利用不可能性）があるときに送信されることを可能にし得る。
【０１５１】
[0168]  従って、方法１６００はワイヤレス通信を提供し得る。方法１６００は一実施形態にすぎないこと、および方法１６００の動作は、他の実施形態が可能であるように、並べ替えられるかまたは場合によっては変更され得ることに留意されたい。
【０１５２】
[0169]  図１７は、本開示の様々な態様による、ＵＥにおけるワイヤレス通信のための方法１７００の一例を示すフローチャートである。明確さのために、方法１７００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１５３】
[0170]  ブロック１７０５で、方法１７００は、１つまたは複数の論理チャネルの各々のための第１のＰＢＲおよび第２のＰＢＲを維持することを含み得る。第１のＰＢＲは、共有無線周波数スペクトル帯域または専用無線周波数スペクトル帯域中の送信に関連し得、第２のＰＢＲは、専用無線周波数スペクトル帯域中の送信に関連し得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。ブロック１７０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図８を参照して説明されたＰＢＲマネージャ８３５を使用して行われ得る。
【０１５４】
[0171]  ブロック１７１０で、方法１７００は、１つまたは複数の論理チャネルのうちの論理チャネルのための第１のＰＢＲおよび論理チャネルのための第２のＰＢＲに従って、論理チャネルに関連するデータの少なくとも一部分を、１つまたは複数のアップリンク許可のリソースにマッピングすることを含み得る。ブロック１７１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図８を参照して説明された論理チャネルデータ対アップリンク許可リソースマッパ８４０を使用して行われ得る。
【０１５５】
[0172]  従って、方法１７００はワイヤレス通信を提供し得る。方法１７００は一実施形態にすぎないこと、および方法１７００の動作は、他の実施形態が可能であるように、並べ替えられるかまたは場合によっては変更され得ることに留意されたい。
【０１５６】
[0173]  図１８は、本開示の様々な態様による、ＵＥにおけるワイヤレス通信のための方法１８００の一例を示すフローチャートである。明確さのために、方法１８００は、図１、図２、図３、図４、または図１０を参照して説明されたＵＥ１１５、２１５、３１５、４１５、または１０１５のうちの１つまたは複数の態様、あるいは図５、図６、図７、図８、または図９を参照して説明された装置５１５、６１５、７１５、８１５、または９１５のうちの１つまたは複数の態様に関して以下で説明される。いくつかの例では、ＵＥが、ＵＥの機能要素を制御するためのコードの１つまたは複数のセットを実行して以下で説明される機能を行い得る。追加または代替として、ＵＥは、専用ハードウェアを使用して、以下で説明される機能のうちの１つまたは複数を行い得る。
【０１５７】
[0174]  ブロック１８０５で、方法１８００は、専用無線周波数スペクトル帯域中の第１のアップリンクキャリアおよび共有無線周波数スペクトル帯域中の第２のアップリンクキャリア上で通信することを含み得る。専用無線周波数スペクトル帯域は、送信装置がそれに対してアクセスを求めて競合しないことがある、無線周波数スペクトル帯域（例えば、ＬＴＥ／ＬＴＥ−Ａ通信のために使用可能な認可無線周波数スペクトル帯域のような、特定の使用のための特定のユーザに認可された無線周波数スペクトル帯域）を含み得る。共有無線周波数スペクトル帯域は、送信装置がそれに対してアクセスを求めて競合し得る、無線周波数スペクトル帯域（例えば、Ｗｉ−Ｆｉ使用のような、無認可使用のために利用可能である無線周波数スペクトル帯域、異なる無線アクセス技術による使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１８０５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図９を参照して説明されたアップリンクキャリアマネージャ９３５を使用して行われ得る。
【０１５８】
[0175]  ブロック１８１０で、方法１８００は、複数の論理チャネルの公称スケジューリング優先度を決定するために、複数の論理チャネルの各々のためのＰＢＲ（例えば、共有無線周波数スペクトル帯域および専用無線周波数スペクトル帯域中の送信のための単一のＰＢＲ）を維持することを含み得る。ブロック１８１０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図９を参照して説明されたＰＢＲマネージャ９４０を使用して行われ得る。
【０１５９】
[0176]  ブロック１８１５で、方法１８００は、専用無線周波数スペクトル帯域中の第１のアップリンクキャリアのためのアップリンク許可を受信することを含み得る。ブロック１８１５での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図９を参照して説明されたアップリンク許可マネージャ９４５を使用して行われ得る。
【０１６０】
[0177]  ブロック１８２０で、方法１８００は、公称スケジューリング優先度とは無関係に適用される論理チャネル優先度に従って、複数の論理チャネルのうちの論理チャネルに関連するデータの少なくとも一部分を、アップリンク許可のリソースにマッピングすることを含み得る。いくつかの例において、論理チャネルに関連するデータの少なくとも一部分は、上位レイヤ再送信、上位レイヤ制御情報、またはＴＣＰ  ＡＣＫのうちの少なくとも１つを含み得る。ブロック１８２０での（１つまたは複数の）動作は、図５、図６、図７、図８、図９、または図１０を参照して説明されたワイヤレス通信マネージャ５２０、６２０、７２０、８２０、または９２０、またはＵＥワイヤレス通信マネージャ１０５０、あるいは図９を参照して説明された論理チャネルデータ対アップリンク許可リソースマッパ９５０を使用して行われ得る。
【０１６１】
[0178]  従って、方法１８００はワイヤレス通信を提供し得る。方法１８００は一実施形態にすぎないこと、および方法１８００の動作は、他の実施形態が可能であるように、並べ替えられるかまたは場合によっては変更され得ることに留意されたい。
【０１６２】
[0179]  いくつかの例では、図１２、図１３、図１４、図１５、図１６、図１７、または図１８を参照して説明された方法１２００、１３００、１４００、１５００、１６００、１７００、および／または１８００の態様が組み合わせられ得る。
【０１６３】
[0180]  本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば同義で使用される。ＣＤＭＡシステムは、ＣＤＭＡ２０００、ユニバーサル地上波無線アクセス（ＵＴＲＡ）のような無線技術を実施し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変種を含む。ＴＤＭＡシステムは、モバイル通信用グローバルシステム（ＧＳＭ（登録商標）：Global System for Mobile Communications）のような無線技術を実施し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）のような無線技術を実施し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、３ＧＰＰと称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可または共有帯域幅を介したセルラー
（例えば、ＬＴＥ）通信を含む、上述のシステムおよび無線技術、ならびに他のシステムおよび無線技術のために使用され得る。但し、上記の説明は例のためにＬＴＥ／ＬＴＥ−Ａシステムについて説明し、ＬＴＥ用語が上記の説明の多くの部分において使用されるが、本技法はＬＴＥ／ＬＴＥ−Ａ用途を越えて適用可能である。
【０１６４】
[0181]  添付の図面に関して上記に記載された詳細な説明は、例について説明しており、実施され得るまたは特許請求の範囲内に入る例の全てを表すとは限らない。「例」および「例示的」という語は、この説明で使用されるとき、「例、事例、または例示としての働きをすること」を意味し、「好ましい」または「他の例よりも有利な」を意味しない。詳細な説明は、説明された技法の理解を与えるための具体的な詳細を含む。但し、これら技法は、これらの具体的な詳細なしに実施され得る。いくつかの事例では、よく知られている構造および装置が、説明された例の概念を不明瞭にすることを回避するためにブロック図の形式で示される。
【０１６５】
[0182]  情報および信号は、様々な異なる技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６６】
[0183]  本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０１６７】
[0184]  本明細書で説明された機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実施形態は、本開示および添付の特許請求の範囲および趣旨内に入る。例えば、ソフトウェアの性質により、上述された機能は、プロセッサによって実行されるソフトウェア、ハードウェア、ファームウェア、ハードワイヤリング、またはこれらのうちのいずれかの組合せを使用して実施され得る。機能を実施する構成要素はまた、機能の部分が、異なる物理ロケーションにおいて実施されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。例えば、組成が、構成要素Ａ、Ｂ、またはＣを含んでいると記述される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」のような句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６８】
[0185]  コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６９】
[0186]  本開示についての以上の説明は、当業者が本開示を作成または使用できるように与えられた。本開示への様々な変更は当業者には容易に明らかとなり、本明細書で定義された一般原理は、本開示の範囲から逸脱することなく他の変種に適用され得る。従って、本開示は、本明細書で説明された例および設計に限定されるべきでなく、本明細書で開示された原理および新規の技法に合致する最も広い範囲を与えられるべきである。
【図１】
2018527815.tif 000003
【図２】
2018527815.tif 000004
【図３】
2018527815.tif 000005
【図４】
2018527815.tif 000006
【図５】
2018527815.tif 000007
【図６】
2018527815.tif 000008
【図７】
2018527815.tif 000009
【図８】
2018527815.tif 000010
【図９】
2018527815.tif 000011
【図１０】
2018527815.tif 000012
【図１１】
2018527815.tif 000013
【図１２】
2018527815.tif 000014
【図１３】
2018527815.tif 000015
【図１４】
2018527815.tif 000016
【図１５】
2018527815.tif 000017
【図１６】
2018527815.tif 000018
【図１７】
2018527815.tif 000019
【図１８】
2018527815.tif 000020
【手続補正書】
【提出日】平成30年4月17日(2018.4.17)
【手続補正１】
【補正対象書類名】図面
【補正対象項目名】図３
【補正方法】変更
【補正の内容】
【図３】
2018527815.tif 000021
【手続補正２】
【補正対象書類名】図面
【補正対象項目名】図４
【補正方法】変更
【補正の内容】
【図４】
2018527815.tif 000022
【国際調査報告】
2018527815.tif 000023
2018527815.tif 000024
2018527815.tif 000025